(57)【要約】【課題】操作パネルに表示される操作画面領域のエッジと操作パネルの物理的エッジとが一致していない場合にも、スワイプイン操作を良好に検出することが可能な技術を提供する。【解決手段】ＭＦＰ（表示装置）１０は、スワイプイン操作を検出する検出動作として、第１の検出動作と第２の検出動作とを選択的に実行する。第１の検出動作では、第１の検出領域Ｒ１を用いてスワイプイン操作が検出される。第２の検出動作では、第１の検出領域Ｒ１を拡張および／または移動して形成される第２の検出領域Ｒ２を用いて、スワイプイン操作が検出される。操作画面領域３１２が操作パネル４５の一部に表示される場合、操作画面領域３１２の複数のエッジのうち操作パネルの物理的エッジと一致していない特定のエッジ（右半領域４７０内の操作画面領域３１２の左辺等）に関して、第２の検出領域をスワイプイン操作検出領域として用いる第２の検出動作が実行される。【選択図】図１０
2019144763.tif 000002
【特許請求の範囲】
【請求項１】
表示装置であって、
各種の情報を表示し且つユーザの手指による操作入力を受け付けることが可能な操作パネルと、
前記操作パネルの全部または一部に操作画面領域を表示する表示制御手段と、
前記操作パネルに対するタッチ状態を継続しつつ前記操作画面領域のエッジ付近から前記操作画面領域の内側へ向けて前記ユーザの操作指を移動する操作であるスワイプイン操作を、前記操作画面領域の前記エッジ付近に設けられるスワイプイン操作検出領域を用いて検出する検出制御手段と、
を備え、
前記検出制御手段は、前記スワイプイン操作を検出する検出動作として、
前記操作画面領域の内部領域のうち前記操作画面領域のエッジに隣接する部分領域である第１の検出領域にて前記操作画面領域の更に内側へと前記操作指を移動する操作が検出されることを条件として前記スワイプイン操作を検出する第１の検出動作と、
前記第１の検出領域を拡張および／または移動して形成される第２の検出領域にて前記操作画面領域の内側へと向かう向きに前記操作指を移動する操作が検出されることを条件として前記スワイプイン操作を検出する第２の検出動作と、
を選択的に実行することが可能であり、
前記操作画面領域が前記操作パネルの一部に表示される場合、前記操作画面領域の複数のエッジのうち前記操作パネルの物理的エッジと一致していない特定のエッジに関して、前記第２の検出領域を前記スワイプイン操作検出領域として用いる前記第２の検出動作を実行することを特徴とする表示装置。
【請求項２】
請求項１に記載の表示装置において、
前記第２の検出領域は、前記第１の検出領域を前記操作画面領域の外側に向けて拡張した領域であることを特徴とする表示装置。
【請求項３】
請求項１に記載の表示装置において、
前記第２の検出領域は、前記第１の検出領域を前記操作画面領域の外側と内側との双方に向けて拡張した領域であることを特徴とする表示装置。
【請求項４】
請求項１または請求項２に記載の表示装置において、
前記第２の検出領域は、前記第１の検出領域を前記操作画面領域の外側に向けて移動した領域であることを特徴とする表示装置。
【請求項５】
請求項１に記載の表示装置において、
前記第２の検出領域は、前記第１の検出領域を前記操作画面領域の内側に向けて拡張した領域であることを特徴とする表示装置。
【請求項６】
請求項１または請求項５に記載の表示装置において、
前記第２の検出領域は、前記第１の検出領域を前記操作画面領域の内側に向けて移動した領域であることを特徴とする表示装置。
【請求項７】
請求項１に記載の表示装置において、
前記第２の検出領域は、所定方向に伸延する前記特定のエッジのうちの一部の範囲においてのみ前記第１の検出領域を前記所定方向に対して垂直な方向に拡張した部分的拡張領域であることを特徴とする表示装置。
【請求項８】
請求項７に記載の表示装置において、
前記部分的拡張領域に関する前記一部の範囲の位置および／または大きさは、前記ユーザの設定変更操作に応じて変更されることを特徴とする表示装置。
【請求項９】
請求項１から請求項８のいずれかに記載の表示装置において、
前記検出制御手段は、
前記操作画面領域が前記操作パネルの一部に表示される場合、前記特定のエッジに関して、前記第２の検出領域を前記スワイプイン操作検出領域として用いる前記第２の検出動作を実行し、
前記操作画面領域が前記操作パネルの全部に表示される場合、前記特定のエッジを含むエッジに関して、前記第１の検出領域を前記スワイプイン操作検出領域として用いる前記第１の検出動作を実行することを特徴とする表示装置。
【請求項１０】
請求項１から請求項９のいずれかに記載の表示装置において、
前記検出制御手段は、前記操作画面領域が前記操作パネルの一部に表示される場合、前記操作画面領域の複数のエッジのうち前記操作パネルの物理的エッジと一致しているエッジに関しては、前記第１の検出領域を前記スワイプイン操作検出領域として用いて前記スワイプイン操作を検出することを特徴とする表示装置。
【請求項１１】
請求項１から請求項１０のいずれかに記載の表示装置において、
前記検出制御手段は、前記操作指の移動ベクトルの向きと、前記第２の検出領域にて検出すべき前記スワイプイン操作の向きを示す検出用ベクトルの向きとの相違が所定程度よりも小さいことを条件として、前記スワイプイン操作を検出することを特徴とする表示装置。
【請求項１２】
請求項１から請求項４のいずれかに記載の表示装置において、
前記表示制御手段は、前記操作画面領域である第１の操作画面領域と、前記第１の操作画面領域とは異なる第２の操作画面領域とを前記操作パネルに表示し、
前記第１の操作画面領域向けの前記第２の検出領域は、当該第２の検出領域と前記第２の操作画面領域とが重複する場合、前記第２の操作画面領域に対する操作を受け付けない領域として形成されることを特徴とする表示装置。
【請求項１３】
請求項１から請求項１１のいずれかに記載の表示装置において、
前記表示制御手段は、前記操作画面領域である第１の操作画面領域と、前記第１の操作画面領域とは異なる第２の操作画面領域とを前記操作パネルに表示し、
前記第２の操作画面領域は、前記第１の操作画面領域の一部に重複して配置され、且つ、前記第１の操作画面領域よりも上位の表示階層を有し、
前記第１の操作画面領域向けの前記第２の検出領域は、前記第２の操作画面領域に重複する部分を除外した領域として形成されること特徴とする表示装置。
【請求項１４】
請求項１から請求項１１のいずれかに記載の表示装置において、
前記表示制御手段は、前記操作画面領域である第１の操作画面領域と、前記第１の操作画面領域とは異なる第２の操作画面領域とを前記操作パネルに表示し、
前記第２の操作画面領域は、前記第１の操作画面領域の一部に重複して配置され、且つ、前記第１の操作画面領域よりも上位の表示階層を有し、
前記検出制御手段は、
前記第２の操作画面領域向けの前記第２の検出領域に基づいて、前記第２の操作画面領域に関する前記スワイプイン操作を検出し、
前記第１の操作画面領域向けの前記第２の検出領域に基づいて、前記第１の操作画面領域に関する前記スワイプイン操作を検出し、
前記第１の操作画面領域向けの前記第２の検出領域は、前記第２の操作画面領域に重複する重複部分と前記第２の操作画面領域向けの前記第２の検出領域に重複する重複部分とを除外した領域として形成されることを特徴とする表示装置。
【請求項１５】
請求項１から請求項４のいずれかに記載の表示装置において、
前記検出制御手段は、前記操作画面領域に関する前記第２の検出領域が前記操作画面領域のエッジの少なくとも一部を包含する場合において、前記操作指による操作が前記操作画面領域に対する前記スワイプイン操作である可能性と前記操作指による操作が前記操作画面領域自体の移動および／または変倍のための画面移動変倍操作である可能性との双方が存在するときには、前記画面移動変倍操作を前記スワイプイン操作よりも優先的に検出することを特徴とする表示装置。
【請求項１６】
請求項１から請求項１１のいずれかに記載の表示装置において、
前記表示制御手段は、前記操作画面領域である第１の操作画面領域と、前記第１の操作画面領域とは異なる第２の操作画面領域とを前記操作パネルに表示し、
前記検出制御手段は、前記操作指による操作が前記第１の操作画面領域に対する前記スワイプイン操作である可能性と前記操作指による操作が前記第２の操作画面領域に対する他の操作である可能性との双方が存在する場合、前記スワイプイン操作を優先的に検出することを特徴とする表示装置。
【請求項１７】
請求項１から請求項４のいずれかに記載の表示装置において、
前記表示制御手段は、前記操作画面領域である第１の操作画面領域と、前記第１の操作画面領域とは異なる第２の操作画面領域とを前記操作パネルに表示し、
前記第１の操作画面領域向けの前記第２の検出領域は、前記第２の操作画面領域の少なくとも一部に重複し、
前記検出制御手段は、前記第１の操作画面領域向けの前記第２の検出領域と前記第２の操作画面領域との重複領域内から前記操作指によるタッチ操作が開始され且つ前記タッチ操作が継続している期間において、前記スワイプイン操作と前記第２の操作画面領域に対する他の操作とのうち前記スワイプイン操作を優先的に検出し、
前記表示制御手段は、前記スワイプイン操作の検出の有無が確定するまでは、前記第２の操作画面領域に対する前記他の操作に応じた表示変更動作を保留することを特徴とする表示装置。
【請求項１８】
請求項１７に記載の表示装置において、
前記表示制御手段は、前記第１の操作画面領域向けの前記第２の検出領域と前記第２の操作画面領域との前記重複領域内から前記操作指による操作が開始される場合において、前記スワイプイン操作が検出された時点から、前記スワイプイン操作に応じた表示変更動作を開始すべき位置である対応動作開始位置へと前記操作指が到達する時点までの期間において、前記第２の操作画面領域に対する所定の操作が検出されるときには、前記スワイプイン操作をキャンセルするとともに、前記スワイプイン操作に応じた前記表示変更動作を実行せず且つ前記所定の操作に応じた表示変更動作を実行することを特徴とする表示装置。
【請求項１９】
請求項１から請求項４のいずれかに記載の表示装置において、
前記表示制御手段は、前記操作画面領域である第１の操作画面領域と、前記第１の操作画面領域とは異なる第２の操作画面領域とを前記操作パネルに表示し、
前記第１の操作画面領域向けの前記第２の検出領域は、前記第２の操作画面領域の少なくとも一部に重複し、
前記検出制御手段は、前記第１の操作画面領域向けの前記第２の検出領域を用いた前記スワイプイン操作の検出動作と並行して、前記第２の操作画面領域に対する操作の検出動作をも実行し、
前記表示制御手段は、前記第１の操作画面領域向けの前記第２の検出領域と前記第２の操作画面領域との重複領域内から前記操作指による操作が開始される場合において、
前記スワイプイン操作が検出されても、前記スワイプイン操作に応じた表示変更動作を開始すべき位置である対応動作開始位置へと前記操作指が到達するまでは、前記スワイプイン操作に応じた前記表示変更動作を開始せず、
前記第２の操作画面領域に対する特定の操作が検出されると、前記特定の操作に応じた表示変更動作を開始し、
前記スワイプイン操作の検出後且つ前記特定の操作の検出後において、前記操作指が前記対応動作開始位置に到達すると、前記特定の操作に応じた前記表示変更動作をキャンセルし、前記スワイプイン操作に応じた前記表示変更動作を開始することを特徴とする表示装置。
【請求項２０】
請求項１７から請求項１９のいずれかに記載の表示装置において、
前記表示制御手段は、前記スワイプイン操作が検出された時点から、前記スワイプイン操作に応じた表示変更動作を開始すべき位置である対応動作開始位置へと前記操作指が到達する時点までの期間において、前記スワイプイン操作に応じた前記表示変更動作にて表示されるべき画面の一部を表示することによって、前記スワイプイン操作に応じた前記表示変更動作が可能である旨を前記ユーザに報知することを特徴とする表示装置。
【請求項２１】
請求項１から請求項２０のいずれかに記載の表示装置において、
前記第２の検出領域は、前記操作パネルにて可視化された状態で設けられることを特徴とする表示装置。
【請求項２２】
請求項２１に記載の表示装置において、
前記表示制御手段は、前記操作パネルにおける前記操作画面領域の位置および／または大きさの変更に伴って、前記操作画面領域の前記複数のエッジのうち前記操作パネルの物理的エッジと一致していない前記特定のエッジの発生が検知されることに応答して、前記第２の検出領域を前記操作パネルにて可視化することを特徴とする表示装置。
【請求項２３】
各種の情報を表示し且つユーザの手指による操作入力を受け付けることが可能な操作パネルを備える表示装置の制御方法であって、
ａ）前記操作パネルの一部に操作画面領域を表示する表示制御手段と、
ｂ）前記操作パネルに対するタッチ状態を継続しつつ前記操作画面領域のエッジ付近から前記操作画面領域の内側へ向けて前記ユーザの操作指を移動する操作であるスワイプイン操作を、前記操作画面領域の前記エッジ付近に設けられるスワイプイン操作検出領域を用いて検出するステップと、
を備え、
前記ステップｂ）において、
前記操作画面領域の内部領域のうち前記操作画面領域のエッジに隣接する部分領域である第１の検出領域にて前記操作画面領域の更に内側へと前記操作指を移動する操作が検出されることを条件として前記スワイプイン操作を検出する第１の検出動作と、
前記第１の検出領域を拡張および／または移動して形成される第２の検出領域にて前記操作画面領域の内側へと向かう向きに前記操作指を移動する操作が検出されることを条件として前記スワイプイン操作を検出する第２の検出動作と、
が、前記スワイプイン操作を検出する検出動作として選択的に実行され、
前記操作画面領域が前記操作パネルの一部に表示される場合、前記操作画面領域の複数のエッジのうち前記操作パネルの物理的エッジと一致していない特定のエッジに関して、前記第２の検出領域を前記スワイプイン操作検出領域として用いる前記第２の検出動作が実行されることを特徴とする制御方法。
【請求項２４】
請求項２３に記載の制御方法において、
前記ステップｂ）において、前記操作画面領域に関する前記第２の検出領域が前記操作画面領域のエッジの少なくとも一部を包含する場合において、前記操作指による操作が前記操作画面領域に対する前記スワイプイン操作である可能性と前記操作指による操作が前記操作画面領域自体の移動および／または変倍のための画面移動変倍操作である可能性との双方が存在するときには、前記画面移動変倍操作を前記スワイプイン操作よりも優先的に検出する動作が実行されることを特徴とする制御方法。
【請求項２５】
請求項２３に記載の制御方法において、
前記ステップａ）において、前記操作画面領域である第１の操作画面領域と、前記第１の操作画面領域とは異なる第２の操作画面領域とが前記操作パネルに表示され、
前記ステップｂ）において、前記操作指による操作が前記第１の操作画面領域に対する前記スワイプイン操作である可能性と前記操作指による操作が前記第２の操作画面領域に対する他の操作である可能性との双方が存在する場合、前記スワイプイン操作を優先的に検出する動作が実行されることを特徴とする制御方法。
【請求項２６】
請求項２３に記載の制御方法において、
ｃ）前記ステップｂ）の処理結果に基づいて前記操作パネルにおける表示内容を更新するステップ、
をさらに備え、
前記ステップａ）において、前記操作画面領域である第１の操作画面領域と、前記第１の操作画面領域とは異なる第２の操作画面領域とが前記操作パネルに表示され、且つ、前記第１の操作画面領域向けの前記第２の検出領域は前記第２の操作画面領域の少なくとも一部に重複し、
前記ステップｂ）において、前記第１の操作画面領域向けの前記第２の検出領域と前記第２の操作画面領域との重複領域内から前記操作指によるタッチ操作が開始され且つ前記タッチ操作が継続している期間において、前記スワイプイン操作と前記第２の操作画面領域に対する他の操作とのうち前記スワイプイン操作を優先的に検出する動作が実行され、
前記ステップｃ）において、前記スワイプイン操作の検出の有無が確定するまでは、前記第２の操作画面領域に対する前記他の操作に応じた表示変更動作が保留されることを特徴とする制御方法。
【請求項２７】
請求項２６に記載の制御方法において、
前記ステップｃ）においては、前記第１の操作画面領域向けの前記第２の検出領域と前記第２の操作画面領域との前記重複領域内から前記操作指による操作が開始される場合において、前記スワイプイン操作が検出された時点から、前記スワイプイン操作に応じた表示変更動作を開始すべき位置である対応動作開始位置へと前記操作指が到達する時点までの期間において、前記第２の操作画面領域に対する所定の操作が検出されるときには、前記スワイプイン操作に応じた前記表示変更動作が実行されず且つ前記所定の操作に応じた表示変更動作が実行されることを特徴とする制御方法。
【請求項２８】
請求項２３に記載の制御方法において、
ｃ）前記ステップｂ）の処理結果に基づいて前記操作パネルにおける表示内容を更新するステップと、
をさらに備え、
前記ステップａ）において、前記操作画面領域である第１の操作画面領域と、前記第１の操作画面領域とは異なる第２の操作画面領域とが前記操作パネルに表示され、且つ、前記第１の操作画面領域向けの前記第２の検出領域は前記第２の操作画面領域の少なくとも一部に重複し、
前記ステップｂ）において、前記第１の操作画面領域向けの前記第２の検出領域を用いた前記スワイプイン操作の検出動作と並行して、前記第２の操作画面領域に対する操作の検出動作もが実行され、
前記ステップｃ）は、前記第１の操作画面領域向けの前記第２の検出領域と前記第２の操作画面領域との重複領域内から前記操作指による操作が開始される場合において、
ｃ−１）前記スワイプイン操作が前記ステップｂ）にて検出されても、前記スワイプイン操作に応じた表示変更動作を開始すべき位置である対応動作開始位置へと前記操作指が到達するまでは、前記スワイプイン操作に応じた前記表示変更動作を開始せず、且つ、前記第２の操作画面領域に対する特定の操作が前記ステップｂ）にて検出されると前記特定の操作に応じた表示変更動作を開始するステップと、
ｃ−２）前記スワイプイン操作の検出後且つ前記特定の操作の検出後において、前記操作指が前記対応動作開始位置に到達すると、前記特定の操作に応じた前記表示変更動作をキャンセルし、前記スワイプイン操作に応じた前記表示変更動作を開始するステップと、
を備えることを特徴とする制御方法。
【請求項２９】
請求項２６から請求項２８のいずれかに記載の制御方法において、
前記ステップｃ）においては、前記スワイプイン操作が検出された時点から、前記スワイプイン操作に応じた表示変更動作を開始すべき位置である対応動作開始位置へと前記操作指が到達する時点までの期間において、前記スワイプイン操作に応じた前記表示変更動作にて表示されるべき画面の一部が表示されることによって、前記スワイプイン操作に応じた前記表示変更動作が可能である旨が前記ユーザに報知されることを特徴とする制御方法。
【請求項３０】
請求項２６から請求項２９のいずれかに記載の制御方法において、
前記ステップａ）において、前記操作パネルにおける前記操作画面領域の位置および／または大きさが変更され、
前記ステップｂ）において、前記ステップａ）における前記操作画面領域の位置および／または大きさの変更に伴って前記操作画面領域の前記複数のエッジのうち前記操作パネルの物理的エッジと一致していない前記特定のエッジの発生が検知されることに応答して、前記第２の検出領域が前記操作パネルにて可視化されることを特徴とする制御方法。
【請求項３１】
請求項２３から請求項３０のいずれかに記載の制御方法を、前記表示装置に内蔵されたコンピュータに実行させるためのプログラム。
【発明の詳細な説明】
【技術分野】
【０００１】
本発明は、ＭＦＰ（マルチ・ファンクション・ペリフェラル（Multi-Functional Peripheral））などの表示装置およびそれに関連する技術に関する。
【背景技術】
【０００２】
操作パネル（タッチパネル）を有する表示装置においては、タップ操作、スワイプ操作のみならず、「スワイプイン操作」と称される操作をも受け付けることが可能である（特許文献１等参照）。「スワイプイン操作」は、ユーザの手指の操作パネルに対するタッチ状態を継続しつつ、操作画面領域のエッジ付近から操作画面領域の内側へ向けてユーザの操作指を移動する操作である。「スワイプイン操作」としては、たとえば、矩形形状を有する操作パネルの全体に亘って操作画面領域が表示されている状況において、操作パネルの左辺付近（左辺側に設けられたフレーム部分（ベゼル部分）等）から当該操作画面領域の内側（右側）へとユーザの操作指を操作パネル上を滑らせながら移動する操作が例示される（図４５の左側参照）。
【０００３】
なお、スワイプイン操作は、スワイプ操作とは区別されて認識される。「スワイプ操作」は、ユーザの手指の操作パネルに対するタッチ状態を継続しつつ、操作画面領域内の或る位置（ただし、エッジ付近以外の位置）から操作画面領域内の別の位置へとユーザの操作指を移動する操作である（図４５の右側参照）。スワイプイン操作は、操作の開始位置がエッジ付近の位置である点で、スワイプ操作と相違する。
【０００４】
また、スワイプイン操作に対しては、スワイプ操作に対する応答動作とは別の応答動作が割り当てられ得る。たとえば、スワイプ操作にはアイコンの移動動作等が割り当てられるのに対して、スワイプイン操作には、スワイプインオブジェクト（簡易メニュー画面等）の引出表示動作（スワイプインオブジェクトが画面端部から画面内側へと徐々に引き出されて表示される表示動作）等が割り当てられる。
【先行技術文献】
【特許文献】
【０００５】
【特許文献１】特表２０１６−５１１８５４号公報
【発明の概要】
【発明が解決しようとする課題】
【０００６】
ところで、操作パネルの全体領域が２分割され、各分割領域に個別の操作画面領域が表示されることがある（図４６の下段参照）。たとえば、操作パネルの全体領域が左半領域４６０と右半領域４７０とに分割され、左半領域４６０と右半領域４７０とにそれぞれ別個の操作画面（操作画面領域）２１２，３１２が表示されることがある。
【０００７】
このような２画面表示が行われる場合において、操作パネルに表示される操作画面領域のエッジと操作パネルの物理的エッジとが一致していないときには、スワイプイン操作が良好に検出されないことがある。
【０００８】
たとえば、ユーザが、操作パネルの物理的エッジ付近（操作パネルの周囲のフレーム付近）ではなく、２つの操作画面領域の境界付近（操作パネルの左右方向における中央付近）において、スワイプイン操作を試行する状況を想定する。詳細には、２つの操作画面領域の境界付近において右側の操作画面領域３１２に対して当該右側の操作画面領域３１２の左端から右側に向かうスワイプイン操作をユーザが行おうとする場合、操作者の手指が（右側の操作画面領域３１２内の左端側部分ではなく）左側の操作画面領域２１２内の右端側部分に最初に触れることがある。この場合、ユーザの当該操作が「左側」の操作画面領域２１２に対する「スワイプ操作」であると誤って認識され、ユーザの本来の意図（「右側」の操作画面領域３１２に対する「スワイプイン操作」）は正しく認識されないことがある。
【０００９】
なお、当該２画面表示以外の状況においても、同様の問題が生じ得る。
【００１０】
そこで、本発明は、操作パネルに表示される操作画面領域のエッジと操作パネルの物理的エッジとが一致していない場合にも、スワイプイン操作を良好に検出することが可能な技術を提供することを課題とする。
【課題を解決するための手段】
【００１１】
上記課題を解決すべく、請求項１の発明は、表示装置であって、各種の情報を表示し且つユーザの手指による操作入力を受け付けることが可能な操作パネルと、前記操作パネルの全部または一部に操作画面領域を表示する表示制御手段と、前記操作パネルに対するタッチ状態を継続しつつ前記操作画面領域のエッジ付近から前記操作画面領域の内側へ向けて前記ユーザの操作指を移動する操作であるスワイプイン操作を、前記操作画面領域の前記エッジ付近に設けられるスワイプイン操作検出領域を用いて検出する検出制御手段と、を備え、前記検出制御手段は、前記スワイプイン操作を検出する検出動作として、前記操作画面領域の内部領域のうち前記操作画面領域のエッジに隣接する部分領域である第１の検出領域にて前記操作画面領域の更に内側へと前記操作指を移動する操作が検出されることを条件として前記スワイプイン操作を検出する第１の検出動作と、前記第１の検出領域を拡張および／または移動して形成される第２の検出領域にて前記操作画面領域の内側へと向かう向きに前記操作指を移動する操作が検出されることを条件として前記スワイプイン操作を検出する第２の検出動作と、を選択的に実行することが可能であり、前記操作画面領域が前記操作パネルの一部に表示される場合、前記操作画面領域の複数のエッジのうち前記操作パネルの物理的エッジと一致していない特定のエッジに関して、前記第２の検出領域を前記スワイプイン操作検出領域として用いる前記第２の検出動作を実行することを特徴とする。
【００１２】
請求項２の発明は、請求項１の発明に係る表示装置において、前記第２の検出領域は、前記第１の検出領域を前記操作画面領域の外側に向けて拡張した領域であることを特徴とする。
【００１３】
請求項３の発明は、請求項１の発明に係る表示装置において、前記第２の検出領域は、前記第１の検出領域を前記操作画面領域の外側と内側との双方に向けて拡張した領域であることを特徴とする。
【００１４】
請求項４の発明は、請求項１または請求項２の発明に係る表示装置において、前記第２の検出領域は、前記第１の検出領域を前記操作画面領域の外側に向けて移動した領域であることを特徴とする。
【００１５】
請求項５の発明は、請求項１の発明に係る表示装置において、前記第２の検出領域は、前記第１の検出領域を前記操作画面領域の内側に向けて拡張した領域であることを特徴とする。
【００１６】
請求項６の発明は、請求項１または請求項５の発明に係る表示装置において、前記第２の検出領域は、前記第１の検出領域を前記操作画面領域の内側に向けて移動した領域であることを特徴とする。
【００１７】
請求項７の発明は、請求項１の発明に係る表示装置において、前記第２の検出領域は、所定方向に伸延する前記特定のエッジのうちの一部の範囲においてのみ前記第１の検出領域を前記所定方向に対して垂直な方向に拡張した部分的拡張領域であることを特徴とする。
【００１８】
請求項８の発明は、請求項７の発明に係る表示装置において、前記部分的拡張領域に関する前記一部の範囲の位置および／または大きさは、前記ユーザの設定変更操作に応じて変更されることを特徴とする。
【００１９】
請求項９の発明は、請求項１から請求項８のいずれかの発明に係る表示装置において、前記検出制御手段は、前記操作画面領域が前記操作パネルの一部に表示される場合、前記特定のエッジに関して、前記第２の検出領域を前記スワイプイン操作検出領域として用いる前記第２の検出動作を実行し、前記操作画面領域が前記操作パネルの全部に表示される場合、前記特定のエッジを含むエッジに関して、前記第１の検出領域を前記スワイプイン操作検出領域として用いる前記第１の検出動作を実行することを特徴とする。
【００２０】
請求項１０の発明は、請求項１から請求項９のいずれかの発明に係る表示装置において、前記検出制御手段は、前記操作画面領域が前記操作パネルの一部に表示される場合、前記操作画面領域の複数のエッジのうち前記操作パネルの物理的エッジと一致しているエッジに関しては、前記第１の検出領域を前記スワイプイン操作検出領域として用いて前記スワイプイン操作を検出することを特徴とする。
【００２１】
請求項１１の発明は、請求項１から請求項１０のいずれかの発明に係る表示装置において、前記検出制御手段は、前記操作指の移動ベクトルの向きと、前記第２の検出領域にて検出すべき前記スワイプイン操作の向きを示す検出用ベクトルの向きとの相違が所定程度よりも小さいことを条件として、前記スワイプイン操作を検出することを特徴とする。
【００２２】
請求項１２の発明は、請求項１から請求項４のいずれかの発明に係る表示装置において、前記表示制御手段は、前記操作画面領域である第１の操作画面領域と、前記第１の操作画面領域とは異なる第２の操作画面領域とを前記操作パネルに表示し、前記第１の操作画面領域向けの前記第２の検出領域は、当該第２の検出領域と前記第２の操作画面領域とが重複する場合、前記第２の操作画面領域に対する操作を受け付けない領域として形成されることを特徴とする。
【００２３】
請求項１３の発明は、請求項１から請求項１１のいずれかの発明に係る表示装置において、前記表示制御手段は、前記操作画面領域である第１の操作画面領域と、前記第１の操作画面領域とは異なる第２の操作画面領域とを前記操作パネルに表示し、前記第２の操作画面領域は、前記第１の操作画面領域の一部に重複して配置され、且つ、前記第１の操作画面領域よりも上位の表示階層を有し、前記第１の操作画面領域向けの前記第２の検出領域は、前記第２の操作画面領域に重複する部分を除外した領域として形成されること特徴とする表示装置。
【００２４】
請求項１４の発明は、請求項１から請求項１１のいずれかの発明に係る表示装置において、前記表示制御手段は、前記操作画面領域である第１の操作画面領域と、前記第１の操作画面領域とは異なる第２の操作画面領域とを前記操作パネルに表示し、前記第２の操作画面領域は、前記第１の操作画面領域の一部に重複して配置され、且つ、前記第１の操作画面領域よりも上位の表示階層を有し、前記検出制御手段は、前記第２の操作画面領域向けの前記第２の検出領域に基づいて、前記第２の操作画面領域に関する前記スワイプイン操作を検出し、前記第１の操作画面領域向けの前記第２の検出領域に基づいて、前記第１の操作画面領域に関する前記スワイプイン操作を検出し、前記第１の操作画面領域向けの前記第２の検出領域は、前記第２の操作画面領域に重複する重複部分と前記第２の操作画面領域向けの前記第２の検出領域に重複する重複部分とを除外した領域として形成されることを特徴とする。
【００２５】
請求項１５の発明は、請求項１から請求項４のいずれかの発明に係る表示装置において、前記検出制御手段は、前記操作画面領域に関する前記第２の検出領域が前記操作画面領域のエッジの少なくとも一部を包含する場合において、前記操作指による操作が前記操作画面領域に対する前記スワイプイン操作である可能性と前記操作指による操作が前記操作画面領域自体の移動および／または変倍のための画面移動変倍操作である可能性との双方が存在するときには、前記画面移動変倍操作を前記スワイプイン操作よりも優先的に検出することを特徴とする。
【００２６】
請求項１６の発明は、請求項１から請求項１１のいずれかの発明に係る表示装置において、前記表示制御手段は、前記操作画面領域である第１の操作画面領域と、前記第１の操作画面領域とは異なる第２の操作画面領域とを前記操作パネルに表示し、前記検出制御手段は、前記操作指による操作が前記第１の操作画面領域に対する前記スワイプイン操作である可能性と前記操作指による操作が前記第２の操作画面領域に対する他の操作である可能性との双方が存在する場合、前記スワイプイン操作を優先的に検出することを特徴とする。
【００２７】
請求項１７の発明は、請求項１から請求項４のいずれかの発明に係る表示装置において、前記表示制御手段は、前記操作画面領域である第１の操作画面領域と、前記第１の操作画面領域とは異なる第２の操作画面領域とを前記操作パネルに表示し、前記第１の操作画面領域向けの前記第２の検出領域は、前記第２の操作画面領域の少なくとも一部に重複し、前記検出制御手段は、前記第１の操作画面領域向けの前記第２の検出領域と前記第２の操作画面領域との重複領域内から前記操作指によるタッチ操作が開始され且つ前記タッチ操作が継続している期間において、前記スワイプイン操作と前記第２の操作画面領域に対する他の操作とのうち前記スワイプイン操作を優先的に検出し、前記表示制御手段は、前記スワイプイン操作の検出の有無が確定するまでは、前記第２の操作画面領域に対する前記他の操作に応じた表示変更動作を保留することを特徴とする。
【００２８】
請求項１８の発明は、請求項１７の発明に係る表示装置において、前記表示制御手段は、前記第１の操作画面領域向けの前記第２の検出領域と前記第２の操作画面領域との前記重複領域内から前記操作指による操作が開始される場合において、前記スワイプイン操作が検出された時点から、前記スワイプイン操作に応じた表示変更動作を開始すべき位置である対応動作開始位置へと前記操作指が到達する時点までの期間において、前記第２の操作画面領域に対する所定の操作が検出されるときには、前記スワイプイン操作をキャンセルするとともに、前記スワイプイン操作に応じた前記表示変更動作を実行せず且つ前記所定の操作に応じた表示変更動作を実行することを特徴とする。
【００２９】
請求項１９の発明は、請求項１から請求項４のいずれかの発明に係る表示装置において、前記表示制御手段は、前記操作画面領域である第１の操作画面領域と、前記第１の操作画面領域とは異なる第２の操作画面領域とを前記操作パネルに表示し、前記第１の操作画面領域向けの前記第２の検出領域は、前記第２の操作画面領域の少なくとも一部に重複し、前記検出制御手段は、前記第１の操作画面領域向けの前記第２の検出領域を用いた前記スワイプイン操作の検出動作と並行して、前記第２の操作画面領域に対する操作の検出動作をも実行し、前記表示制御手段は、前記第１の操作画面領域向けの前記第２の検出領域と前記第２の操作画面領域との重複領域内から前記操作指による操作が開始される場合において、前記スワイプイン操作が検出されても、前記スワイプイン操作に応じた表示変更動作を開始すべき位置である対応動作開始位置へと前記操作指が到達するまでは、前記スワイプイン操作に応じた前記表示変更動作を開始せず、前記第２の操作画面領域に対する特定の操作が検出されると、前記特定の操作に応じた表示変更動作を開始し、前記スワイプイン操作の検出後且つ前記特定の操作の検出後において、前記操作指が前記対応動作開始位置に到達すると、前記特定の操作に応じた前記表示変更動作をキャンセルし、前記スワイプイン操作に応じた前記表示変更動作を開始することを特徴とする。
【００３０】
請求項２０の発明は、請求項１７から請求項１９のいずれかの発明に係る表示装置において、前記表示制御手段は、前記スワイプイン操作が検出された時点から、前記スワイプイン操作に応じた表示変更動作を開始すべき位置である対応動作開始位置へと前記操作指が到達する時点までの期間において、前記スワイプイン操作に応じた前記表示変更動作にて表示されるべき画面の一部を表示することによって、前記スワイプイン操作に応じた前記表示変更動作が可能である旨を前記ユーザに報知することを特徴とする。
【００３１】
請求項２１の発明は、請求項１から請求項２０のいずれかの発明に係る表示装置において、前記第２の検出領域は、前記操作パネルにて可視化された状態で設けられることを特徴とする。
【００３２】
請求項２２の発明は、請求項２１の発明に係る表示装置において、前記表示制御手段は、前記操作パネルにおける前記操作画面領域の位置および／または大きさの変更に伴って、前記操作画面領域の前記複数のエッジのうち前記操作パネルの物理的エッジと一致していない前記特定のエッジの発生が検知されることに応答して、前記第２の検出領域を前記操作パネルにて可視化することを特徴とする。
【００３３】
請求項２３の発明は、各種の情報を表示し且つユーザの手指による操作入力を受け付けることが可能な操作パネルを備える表示装置の制御方法であって、ａ）前記操作パネルの一部に操作画面領域を表示する表示制御手段と、ｂ）前記操作パネルに対するタッチ状態を継続しつつ前記操作画面領域のエッジ付近から前記操作画面領域の内側へ向けて前記ユーザの操作指を移動する操作であるスワイプイン操作を、前記操作画面領域の前記エッジ付近に設けられるスワイプイン操作検出領域を用いて検出するステップと、を備え、前記ステップｂ）において、前記操作画面領域の内部領域のうち前記操作画面領域のエッジに隣接する部分領域である第１の検出領域にて前記操作画面領域の更に内側へと前記操作指を移動する操作が検出されることを条件として前記スワイプイン操作を検出する第１の検出動作と、前記第１の検出領域を拡張および／または移動して形成される第２の検出領域にて前記操作画面領域の内側へと向かう向きに前記操作指を移動する操作が検出されることを条件として前記スワイプイン操作を検出する第２の検出動作と、が、前記スワイプイン操作を検出する検出動作として選択的に実行され、前記操作画面領域が前記操作パネルの一部に表示される場合、前記操作画面領域の複数のエッジのうち前記操作パネルの物理的エッジと一致していない特定のエッジに関して、前記第２の検出領域を前記スワイプイン操作検出領域として用いる前記第２の検出動作が実行されることを特徴とする。
【００３４】
請求項２４の発明は、請求項２３の発明に係る制御方法において、前記ステップｂ）において、前記操作画面領域に関する前記第２の検出領域が前記操作画面領域のエッジの少なくとも一部を包含する場合において、前記操作指による操作が前記操作画面領域に対する前記スワイプイン操作である可能性と前記操作指による操作が前記操作画面領域自体の移動および／または変倍のための画面移動変倍操作である可能性との双方が存在するときには、前記画面移動変倍操作を前記スワイプイン操作よりも優先的に検出する動作が実行されることを特徴とする。
【００３５】
請求項２５の発明は、請求項２３の発明に係る制御方法において、前記ステップａ）において、前記操作画面領域である第１の操作画面領域と、前記第１の操作画面領域とは異なる第２の操作画面領域とが前記操作パネルに表示され、前記ステップｂ）において、前記操作指による操作が前記第１の操作画面領域に対する前記スワイプイン操作である可能性と前記操作指による操作が前記第２の操作画面領域に対する他の操作である可能性との双方が存在する場合、前記スワイプイン操作を優先的に検出する動作が実行されることを特徴とする。
【００３６】
請求項２６の発明は、請求項２３の発明に係る制御方法において、ｃ）前記ステップｂ）の処理結果に基づいて前記操作パネルにおける表示内容を更新するステップ、をさらに備え、前記ステップａ）において、前記操作画面領域である第１の操作画面領域と、前記第１の操作画面領域とは異なる第２の操作画面領域とが前記操作パネルに表示され、且つ、前記第１の操作画面領域向けの前記第２の検出領域は前記第２の操作画面領域の少なくとも一部に重複し、前記ステップｂ）において、前記第１の操作画面領域向けの前記第２の検出領域と前記第２の操作画面領域との重複領域内から前記操作指によるタッチ操作が開始され且つ前記タッチ操作が継続している期間において、前記スワイプイン操作と前記第２の操作画面領域に対する他の操作とのうち前記スワイプイン操作を優先的に検出する動作が実行され、前記ステップｃ）において、前記スワイプイン操作の検出の有無が確定するまでは、前記第２の操作画面領域に対する前記他の操作に応じた表示変更動作が保留されることを特徴とする。
【００３７】
請求項２７の発明は、請求項２６の発明に係る制御方法において、前記ステップｃ）においては、前記第１の操作画面領域向けの前記第２の検出領域と前記第２の操作画面領域との前記重複領域内から前記操作指による操作が開始される場合において、前記スワイプイン操作が検出された時点から、前記スワイプイン操作に応じた表示変更動作を開始すべき位置である対応動作開始位置へと前記操作指が到達する時点までの期間において、前記第２の操作画面領域に対する所定の操作が検出されるときには、前記スワイプイン操作に応じた前記表示変更動作が実行されず且つ前記所定の操作に応じた表示変更動作が実行されることを特徴とする。
【００３８】
請求項２８の発明は、請求項２３の発明に係る制御方法において、ｃ）前記ステップｂ）の処理結果に基づいて前記操作パネルにおける表示内容を更新するステップと、をさらに備え、前記ステップａ）において、前記操作画面領域である第１の操作画面領域と、前記第１の操作画面領域とは異なる第２の操作画面領域とが前記操作パネルに表示され、且つ、前記第１の操作画面領域向けの前記第２の検出領域は前記第２の操作画面領域の少なくとも一部に重複し、前記ステップｂ）において、前記第１の操作画面領域向けの前記第２の検出領域を用いた前記スワイプイン操作の検出動作と並行して、前記第２の操作画面領域に対する操作の検出動作もが実行され、前記ステップｃ）は、前記第１の操作画面領域向けの前記第２の検出領域と前記第２の操作画面領域との重複領域内から前記操作指による操作が開始される場合において、ｃ−１）前記スワイプイン操作が前記ステップｂ）にて検出されても、前記スワイプイン操作に応じた表示変更動作を開始すべき位置である対応動作開始位置へと前記操作指が到達するまでは、前記スワイプイン操作に応じた前記表示変更動作を開始せず、且つ、前記第２の操作画面領域に対する特定の操作が前記ステップｂ）にて検出されると前記特定の操作に応じた表示変更動作を開始するステップと、ｃ−２）前記スワイプイン操作の検出後且つ前記特定の操作の検出後において、前記操作指が前記対応動作開始位置に到達すると、前記特定の操作に応じた前記表示変更動作をキャンセルし、前記スワイプイン操作に応じた前記表示変更動作を開始するステップと、を備えることを特徴とする。
【００３９】
請求項２９の発明は、請求項２６から請求項２８のいずれかの発明に係る制御方法において、前記ステップｃ）においては、前記スワイプイン操作が検出された時点から、前記スワイプイン操作に応じた表示変更動作を開始すべき位置である対応動作開始位置へと前記操作指が到達する時点までの期間において、前記スワイプイン操作に応じた前記表示変更動作にて表示されるべき画面の一部が表示されることによって、前記スワイプイン操作に応じた前記表示変更動作が可能である旨が前記ユーザに報知されることを特徴とする。
【００４０】
請求項３０の発明は、請求項２６から請求項２９のいずれかの発明に係る制御方法において、前記ステップａ）において、前記操作パネルにおける前記操作画面領域の位置および／または大きさが変更され、前記ステップｂ）において、前記ステップａ）における前記操作画面領域の位置および／または大きさの変更に伴って前記操作画面領域の前記複数のエッジのうち前記操作パネルの物理的エッジと一致していない前記特定のエッジの発生が検知されることに応答して、前記第２の検出領域が前記操作パネルにて可視化されることを特徴とする。
【００４１】
請求項３１の発明は、請求項２３から請求項３０のいずれかの発明に係る制御方法を、前記表示装置に内蔵されたコンピュータに実行させるためのプログラムであることを特徴とする。
【発明の効果】
【００４２】
請求項１から請求項３１に記載の発明によれば、操作パネルに表示される操作画面領域のエッジと操作パネルの物理的エッジとが一致していない場合にも、スワイプイン操作を良好に検出することが可能である。
【図面の簡単な説明】
【００４３】
【図１】第１実施形態に係る表示装置の外観を示す図である。
【図２】ＭＦＰ（表示装置）の機能ブロックを示す図である。
【図３】スワイプイン操作が開始される様子を示す図である。
【図４】スワイプイン操作の完了状態を示す図である。
【図５】第１の検出領域に基づく第１の検出動作を示す図である。
【図６】第２の検出領域に基づく第２の検出動作を示す図である。
【図７】ＭＦＰの動作の一例を示すフローチャートである。
【図８】図７の一部の動作（スワイプイン操作検出領域の設定動作）を示すフローチャートである。
【図９】図７の一部の動作を示すフローチャートである。
【図１０】操作画面領域がタッチパネルの全部に表示される状態からタッチパネルの一部に表示される状態へと遷移する場合において、遷移後の操作画面領域に第２の検出領域が設定される様子を示す図である。
【図１１】第１の検出領域を外側に移動および拡張して形成された第２の検出領域を示す図である。
【図１２】第１の検出領域を外側に拡張して形成された第２の検出領域を示す図である。
【図１３】第１の検出領域を内側に拡張して形成された第２の検出領域を示す図である。
【図１４】第１の検出領域を外側と内側との双方に拡張して形成された第２の検出領域を示す図である。
【図１５】第１の検出領域を内側に移動して形成された第２の検出領域を示す図である。
【図１６】第１の検出領域の一部の範囲のみを内側に拡張して形成された第２の検出領域を示す図である。
【図１７】図１６の一部の範囲が変更され得る様子を示す図である。
【図１８】画面遷移後の操作画面領域の４辺に関する各スワイプイン操作検出領域（第１の検出領域あるいは第２の検出領域）を示す図である。
【図１９】２つの操作画面領域の分割表示状態から一方の操作画面領域の縮小表示状態への遷移を示す図である。
【図２０】一方の操作画面領域の或る縮小表示状態から別の縮小表示状態への遷移を示す図である。
【図２１】第２の検出領域の可視化状態から非可視化状態への遷移を示す図である。
【図２２】第１の除外処理を示す図である。
【図２３】第２の除外処理をも示す図である。
【図２４】互いに異なる検出用ベクトルを有する２つのスワイプイン操作検出領域が互いに近接している様子を示す図である。
【図２５】図７の一部の動作（各種操作の検出動作等）を示すフローチャートである。
【図２６】図７の一部の動作を示すフローチャートである。
【図２７】操作画面領域自体を変動させる領域移動変倍操作等を示す図である。
【図２８】或る第２の検出領域に設けられている検出用ベクトルを示す図である。
【図２９】検出用ベクトルを示す図である。
【図３０】スワイプイン可能通知を示す図である。
【図３１】或る操作画面領域向けの第２の検出領域と別の操作画面領域との重複領域からタッチ操作が開始される様子を示す図である。
【図３２】操作指が更に右側に移動した状態を示す図である。
【図３３】操作指が更に右側に移動した状態を示す図である
【図３４】操作指が対応動作開始位置に到達した状態を示す図である
【図３５】操作指が対応動作開始位置よりも更に右側に移動した状態を示す図である
【図３６】操作指が更に右側に移動した状態を示す図である
【図３７】操作指の方向が右向きから上向きに急に変更される様子を示す図である。
【図３８】第２実施形態に係る動作の一部を示すフローチャートである。
【図３９】第２実施形態に係る動作の一部を示すフローチャートである。
【図４０】第２実施形態に係る動作例を示す図である。
【図４１】操作指が更に右側に移動した状態を示す図である。
【図４２】操作指が更に右側に移動した状態を示す図である。
【図４３】操作指が更に右側に移動した状態を示す図である。
【図４４】変形例を示す図である。
【図４５】「スワイプイン操作」および「スワイプ操作」を示す図である。
【図４６】「スワイプイン操作」における誤認識を説明する図である。
【発明を実施するための形態】
【００４４】
以下、本発明の実施形態を図面に基づいて説明する。
【００４５】
＜１．第１実施形態＞
＜１−１．ＭＦＰ１０の構成＞
図１は、本発明の第１実施形態に係る表示装置１０の外観を示す正面図である。ここでは、表示装置（ユーザインターフェイス装置とも称する）として、ＭＦＰ１０を例示する。
【００４６】
図２は、ＭＦＰ（マルチ・ファンクション・ペリフェラル（Multi-Functional Peripheral））１０の機能ブロックを示す図である。
【００４７】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６およびコントローラ９等を備えており、これらの各部を複合的に動作させることによって、各種の機能を実現する。なお、ＭＦＰ１０は、画像処理装置あるいは画像形成装置などとも表現される。
【００４８】
画像読取部２は、ＭＦＰ１０の所定の位置に載置された原稿を光学的に読み取って（すなわちスキャンして）、当該原稿の画像データ（原稿画像なしいスキャン画像とも称する）を生成する処理部である。この画像読取部２は、スキャン部であるとも称される。
【００４９】
印刷出力部３は、印刷対象に関するデータに基づいて紙などの各種の媒体に画像を印刷出力する出力部である。このＭＦＰ１０は、電子写真方式のプリンタ（フルカラープリンタ）でもあり、印刷出力部３は、露光部、現像部、転写部、定着部などの各種のハードウエア機構（画像形成機構あるいは印刷出力機構とも称する）を有している。
【００５０】
通信部４は、公衆回線等を介したファクシミリ通信を行うことが可能な処理部である。さらに、通信部４は、ネットワークを介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１０は、所望の相手先との間で各種のデータを授受することが可能である。通信部４は、各種データを送信する送信部４ａと各種データを受信する受信部４ｂとを有する。
【００５１】
格納部５は、ハードディスクドライブ（ＨＤＤ）等の記憶装置で構成される。
【００５２】
操作部６は、ＭＦＰ１０に対する操作入力を受け付ける操作入力部６ａと、各種情報の表示出力を行う表示部６ｂとを備えている。このＭＦＰ１０においては、略板状の操作パネル部４０（図１参照）が設けられ、当該操作パネル部４０は、その正面側にタッチパネル４５（図１参照）を有している。タッチパネル（操作パネル）４５は、液晶表示パネルに圧電センサ等が埋め込まれて構成され、各種の情報を表示するとともに操作者からの操作入力（操作者の手指による操作入力）を受け付けることが可能である。たとえば、タッチパネル４５においては、メニュー画面等の各種の画面（ボタン画像等を含む）等が表示される。操作者は、タッチパネル４５内に仮想的に配置されるボタン（ボタン画像で表現されるボタン）を押下することによって、ＭＦＰ１０の各種設定内容を変更することなどが可能である。タッチパネル４５は、スワイプイン操作、スワイプ操作等の各種のタッチ操作を受け付けることが可能である。タッチパネル４５は、操作入力部６ａの一部としても機能するとともに、表示部６ｂの一部としても機能する。
【００５３】
コントローラ（制御部）９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ（登録商標））内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体から読み出されてＭＦＰ１０にインストールされるようにしてもよい。あるいは、当該プログラムは、ネットワーク等を経由してダウンロードされてＭＦＰ１０にインストールされるようにしてもよい。
【００５４】
具体的には、図２に示すように、コントローラ９は、当該プログラムの実行により、通信制御部１１と入力制御部１２と表示制御部１３と検出制御部１４と動作制御部１５とを含む各種の処理部を実現する。
【００５５】
通信制御部１１は、他の装置との間の通信動作を制御する処理部である。
【００５６】
入力制御部１２は、操作入力部６ａに対する操作入力動作を制御する制御部である。たとえば、入力制御部１２は、操作画面領域に対する操作入力を受け付ける動作を制御する。
【００５７】
表示制御部１３は、表示部６ｂにおける表示動作を制御する処理部である。表示制御部１３は、ＭＦＰ１０を操作するための操作画面領域等を表示部６ｂに表示させる。
【００５８】
検出制御部１４は、入力制御部１２と協働して、操作者（ユーザ）の手指（操作指）による各種の操作を検出する処理部である。検出制御部１４は、タップ操作、スワイプ操作、スワイプイン操作等を互いに区別して検出することが可能である。検出制御部１４は、特に、操作画面領域の各エッジ付近にてエッジごとに設けられる「スワイプイン操作検出領域」（スワイプイン操作を検出するための領域）を用いて、スワイプイン操作を検出することが可能である。
【００５９】
動作制御部１５は、ＭＦＰ１０における印刷出力動作、スキャン動作、ファクシミリ通信動作等を制御する制御部である。
【００６０】
＜１−２．動作概要＞
つぎに、本願実施形態に係る動作（スワイプイン操作の検出動作等）の概要について説明する。
【００６１】
ここで、操作画面領域に関する「スワイプイン操作」は、操作パネルに対する（指の）タッチ状態を継続しつつ当該操作画面領域のエッジ付近から当該操作画面領域の内側へ向けてユーザの操作指を移動する操作である（図４５の左側参照）。「スワイプイン操作」は、「スワイプ操作」と区別されて検出される。なお、上述のように、スワイプ操作は、ユーザの手指の操作パネルに対するタッチ状態を継続しつつ、操作画面領域内の或る位置（エッジ付近以外の位置）から操作画面領域内の別の位置へとユーザの操作指を移動する操作である（図４５の右側参照）。スワイプイン操作は、当該操作の開始位置がエッジ付近の位置である点で、スワイプ操作と相違する。また、スワイプ操作においては、指の移動が操作画面領域の内側以外（たとえば、逆に外側、あるいはエッジに並行な方向（上方向あるいは下方向等））に向かうこともある点で、スワイプイン操作はスワイプ操作と相違する。さらに、スワイプイン操作に応じて実行される表示変更動作（たとえば、スワイプインオブジェクト３２０の引出表示動作）も、スワイプ操作に応じて実行される表示変更動作（たとえば、アイコン移動表示動作）とは異なっている。
【００６２】
図３および図４は、スワイプイン操作の一例を示す図である。図３は、操作パネル部４０のタッチパネル４５の全体にＭＦＰ１０の操作画面領域３１０（コピーメニュー画面）が表示されている状態において、タッチパネル４５の左端エッジよりも更に左側の位置（タッチパネル４５の周囲に設けられたフレーム４７上の位置）Ｐ０から「スワイプイン操作」が開始される様子を示す図である。また、図４は、ユーザの指がタッチパネル４５に対するタッチ状態を継続しつつ、操作画面領域３１０のエッジ付近から操作画面領域３１０の内側の位置Ｐ３へとユーザの操作指を移動した後の状態（スワイプイン操作の完了状態）を示す図である。
【００６３】
この実施形態においては、スワイプイン操作を検出する検出動作として、第１の検出動作と第２の検出動作との２つの検出動作（２種類の検出動作）が選択的に実行される。第１の検出動作は、従来と同様の検出動作（従来と同様の検出領域（第１の検出領域Ｒ１とも称する）に基づく検出動作）である。一方、第２の検出動作は、新たな種類の検出領域（第２の検出領域Ｒ２とも称する）（後述）に基づく検出動作である。換言すれば、スワイプイン操作を検出するための検出領域（「スワイプイン操作検出領域」）として、第１の検出領域Ｒ１と第２の検出領域Ｒ２とが選択的に用いられる。
【００６４】
図５は、第１の検出領域Ｒ１に基づく第１の検出動作を示す図である。第１の検出領域Ｒ１は、操作画面領域（たとえば３１０）の内部領域のうち操作画面領域のエッジ（図３では印刷設定画面３１０（３１１）の左端エッジ）に隣接する微小幅（たとえば１画素幅〜十数画素幅）の部分領域である。図５に示されるように、第１の検出動作においては、当該第１の検出領域Ｒ１にて、当該第１の検出領域Ｒ１内の位置（エッジに隣接する位置Ｐ１等）から当該操作画面領域の更に内側（図５では右側）へと操作指を移動する操作が検出されることを条件として、スワイプイン操作が検出される。
【００６５】
詳細には、ユーザの操作指がフレーム４７上の位置Ｐ０（操作開始点）から第１の検出領域Ｒ１に到達する位置までの区間においては、タッチパネル４５は反応しない（操作指によるタッチ操作を検出しない）。当該操作指が第１の検出領域Ｒ１（詳細にはその左端）の左端位置Ｐ１に到達すると、スワイプインの検出動作が開始される。たとえば、内側向き（ここでは右向き）の移動動作が所定画素（たとえば１０画素）に亘って検出されると、スワイプイン操作が検出される。その後、操作指が更に右側の所定の位置Ｐ２に到達すると、スワイプイン操作に応じた表示変更動作（スワイプイン対応動作とも称する）が開始される。当該スワイプイン対応動作としては、スワイプインオブジェクト３２０（ここでは簡易メニュー画面（図４参照））の引出表示動作（スワイプインオブジェクトが画面端部から（画面中央側に向けて）徐々に引き出されて表示される表示動作）が例示される。なお、位置Ｐ２は、スワイプイン操作に応じた表示変更動作を開始すべき位置（対応動作開始位置）とも表現される。
【００６６】
図１０の上段においては、図３〜図５に示すようなスワイプイン検出動作（第１の検出領域Ｒ１を用いた第１の検出動作）が行われる状況が示されている。図１０の上段に示されるように、操作画面領域３１２がタッチパネル４５の全部に表示される場合、全エッジに関して、第１の検出動作（第１の検出領域Ｒ１をスワイプイン操作検出領域として用いる検出動作）が実行される。
【００６７】
一方、図１０の下段においては、タッチパネル４５（操作パネル）の全体領域４００が左右方向に２分割され、各分割領域に個別の操作画面領域が表示される状態が示されている。詳細には、タッチパネル４５の全体領域４００が左半領域４６０と右半領域４７０とに分割され、左半領域４６０と右半領域４７０とにそれぞれ別個の操作画面（操作画面領域）２１２，３１２が表示される。換言すれば、図１０の下段においては、操作画面領域３１２がタッチパネル４５の一部に表示されている。
【００６８】
ここにおいて、図１０の上段の状態から同図の下段の状態へと遷移した後において、第１の検出領域Ｒ１を用いてスワイプイン操作を検出する場合には、上述のような問題が生じる（図４６参照）。具体的には、操作パネルに表示される操作画面領域のエッジと操作パネルの物理的エッジとが一致していないときには、スワイプイン操作が良好に検出されないことがある、との問題が生じる。
【００６９】
そこで、この実施形態では、図１０の下段および図６に示されるように、操作画面領域３１２の複数のエッジのうちタッチパネル４５の物理的エッジと一致していない特定のエッジ（たとえば操作画面領域３１２の左辺）に関しては、第２の検出領域Ｒ２を用いた第２の検出動作が実行される。なお、図６は、第２の検出領域Ｒ２に基づく第２の検出動作を示す図である。第２の検出領域Ｒ２も、第１の検出領域Ｒ１と同様、操作画面領域のエッジの近傍に設けられる。
【００７０】
図１０の下段および図６では、元の検出領域（第１の検出領域Ｒ１）を操作画面領域３１０（３１２）の外側（図６の左側）に向けて移動した領域が第２の検出領域Ｒ２として設定されている。詳細には、元の第１の検出領域Ｒ１を操作画面領域３１０（３１２）の左辺側境界線の反対側にまで（第１の検出領域Ｒ１の幅と同じ距離に亘って左側に）移動した領域が、第２の検出領域Ｒ２として設定されている。図１０の下段および図６を、図４６の下段および図５と比較すると判るように、第１の検出領域Ｒ１は操作画面領域３１０の内部に存在するのに対して、第２の検出領域Ｒ２は操作画面領域３１２の外部（操作画面領域３１２の左辺に隣接する部分）に存在する。なお、これに限定されず、第１の検出領域Ｒ１を当該第１の検出領域Ｒ１の幅の半分程度の距離に亘って左側に移動した領域（操作画面領域３１２の左辺を跨ぐ領域）が、第２の検出領域Ｒ２として設定されてもよい。
【００７１】
図１０の下段および図６において、たとえば、ユーザが、２つの操作画面領域２１２，３１２の境界付近において右側の操作画面領域３１２に対して当該右側の操作画面領域３１２の左端部分から右側部分に向かうスワイプイン操作を行うことを意図して、操作者は、操作画面領域３１２の左辺の若干左側からスワイプイン操作を開始する。
【００７２】
このスワイプイン操作の開始点Ｐ０（図６）が第２の検出領域Ｒ２内に存在し且つ更に右側に向けて所定画素（たとえば数画素）分の距離に亘って移動操作（タッチ操作）が継続する場合、スワイプイン操作が行われた旨が検出される（すなわち、スワイプイン操作が検出される）。詳細には、操作開始点Ｐ０（検出開始点Ｐ１でもある）からスワイプイン操作の検出動作が開始される。たとえば、内側向き（ここでは右向き）の移動動作が所定画素（たとえば１０画素）に亘って検出されると、スワイプイン操作が検出される。
【００７３】
このように、第２の検出動作においては、第２の検出領域Ｒ２にて、第２の検出領域Ｒ２内の位置から操作画面領域３１２の内側（図６では右側）へ向けて操作指を移動する操作が検出されることを条件として、スワイプイン操作が検出される。これによれば、操作者の手指が（右側の操作画面領域３１２内の左端側部分ではなく）左側の操作画面領域２１２内の右端側部分に最初に触れた場合においても、ユーザの本来の意図（「右側」の操作画面領域３１２に対する「スワイプイン操作」）が正しく認識される。
【００７４】
なお、その後、操作指が更に右側の所定の位置Ｐ２にまで到達すると、スワイプイン操作に応じた表示変更動作（スワイプイン対応動作とも称する）が開始される。
【００７５】
また、図１０の上段の状態から同図の下段の状態へと遷移する場合、右側の操作画面領域３１２に関しては、矩形形状を有する当該操作画面領域３１２の４辺（左辺、右辺、上辺、および下辺）のうち、左辺についてのみ第２の検出領域Ｒ２が設定され、他の３辺（右辺、上辺、および下辺）には第１の検出領域Ｒ１が設定されればよい（図１８（特に下段）も参照）。すなわち、操作パネルに表示される操作画面領域３１０のエッジとタッチパネル４５の物理的エッジとが一致していない辺（左辺）についてのみ第２の検出領域Ｒ２が設定されればよい。操作パネルに表示される操作画面領域３１０のエッジとタッチパネル４５の物理的エッジとが一致している辺（右辺、上辺、および下辺）については元の第１の検出領域Ｒ１が設定されればよい。なお、図１８においては、図１４の態様（後述）の第２の検出領域Ｒ２が示されている。
【００７６】
ここでは、操作画面領域３１０（３１２）がタッチパネル４５（操作パネル）の一部に表示される場合、操作画面領域３１２の複数のエッジのうちタッチパネル４５の物理的エッジと一致していない特定のエッジ（ここでは左辺のエッジ）のみに関して、第２の検出動作（第２の検出領域Ｒ２をスワイプイン操作検出領域として用いるスワイプイン操作検出動作）が実行される。また、操作画面領域３１２の複数のエッジのうちタッチパネル４５の物理的エッジと一致しているエッジ（ここでは、右辺、上辺、下辺）に関しては、第１の検出動作（第１の検出領域Ｒ１をスワイプイン操作検出領域として用いる検出動作）が実行される。
【００７７】
また、ここでは、右側の操作画面領域３１２の各辺に対するスワイプイン操作について主に説明しているが、左側の操作画面領域２１２の各辺に対するスワイプイン操作についても同様である。具体的には、操作パネルに表示される操作画面領域２１２の複数のエッジのうち、タッチパネル４５の物理的エッジと一致していないエッジ（右辺）についてのみ第２の検出領域Ｒ２が設定される。タッチパネル４５の物理的エッジと一致しているエッジ（左辺、上辺、および下辺）については、元の第１の検出領域Ｒ１が設定される。
【００７８】
＜１−３．第２の検出領域Ｒ２の各種態様＞
図６および図１０では、元の検出領域を拡張することなく当該元の検出領域（第１の検出領域Ｒ１）を操作画面領域３１０（３１２）の外側（図６の左側）に向けて移動した領域が、第２の検出領域Ｒ２として設定されている。ただし、第２の検出領域Ｒ２はこれに限定されない。
【００７９】
たとえば、図１１に示されるように、第２の検出領域Ｒ２は、第１の検出領域Ｒ１を操作画面領域（３１２等）の外側（左側等）に向けて拡張した領域であってもよい。図１１では、第１の検出領域Ｒ１を操作画面領域３１２の左辺に隣接する位置（操作画面領域３１２の外部）にまで移動（図１０と同様）した後、さらに操作画面領域３１２の外側（左側）に向けて拡張した領域（たとえば、数十画素の幅を有する矩形領域）が、第２の検出領域Ｒ２として形成されている。なお、これに限定されず、図１２に示されるように、第１の検出領域Ｒ１を移動することなく当該第１の検出領域Ｒ１を操作画面領域３１２の外側（左側）に向けて拡張した領域が、第２の検出領域Ｒ２として形成されてもよい。第１の検出領域Ｒ１よりも拡張された第２の検出領域Ｒ２を用いることによれば、スワイプイン操作をより良好に検出することが可能である。
【００８０】
あるいは、図１３に示されるように、第２の検出領域Ｒ２は、第１の検出領域Ｒ１を操作画面領域（３１２等）の内側（右側等）に向けて拡張した領域（たとえば、数十画素の幅を有する矩形領域）であってもよい。これによれば、第１の検出領域Ｒ１をそのまま用いる技術よりもスワイプイン操作を良好に検出することが可能である。
【００８１】
あるいは、図１４に示されるように、第２の検出領域Ｒ２は、第１の検出領域Ｒ１を操作画面領域（３１２等）の内側と外側との双方（左右両側）に向けて拡張した領域であってもよい。これによれば、スワイプイン操作を非常に良好に検出することが可能である。
【００８２】
あるいは、図１５に示されるように、第２の検出領域Ｒ２は、第１の検出領域Ｒ１を操作画面領域（３１２等）の内側に向けて（たとえば、数画素分）移動した領域であってもよい。なお、この場合には、元の第１の検出領域Ｒ１の位置に対するスワイプイン操作は検出されないことがあるものの、元の第１の検出領域Ｒ１よりも内側の領域に対するスワイプイン操作が良好に検出され得る。特に、エッジに隣接する部分（エッジの直近部分）からスワイプイン操作を開始するよりも、当該エッジから若干（数画素〜十数画素程度）内側に離れた位置からスワイプイン操作を開始する方が、ユーザの操作としては容易である。したがって、第１の検出領域Ｒ１をそのまま用いる技術よりもスワイプイン操作を良好に検出することが可能である。
【００８３】
また、第１の検出領域Ｒ１を拡大して第２の検出領域Ｒ２を形成するに際しては、所定方向（たとえば縦方向）に伸延するエッジの全範囲に亘って、第１の検出領域Ｒ１を拡大することを要しない。第２の検出領域Ｒ２は、所定方向に伸延するエッジの全範囲のうちの一部の範囲においてのみ（すなわち部分的に）、第１の検出領域Ｒ１を拡張した拡張領域（部分的拡張領域）であってもよい。たとえば、図１６に示されるように、第１の検出領域Ｒ１が内側のみに向けて拡張される場合（図１３参照）において、縦方向の全範囲のうち一部の範囲Ｂ１においてのみ、横方向（当該所定方向に対して垂直な方向）に拡張されることによって、第２の検出領域Ｒ２が形成されてもよい。
【００８４】
なお、図１６では内側のみに向けて部分拡張が行われているが、これに限定されず、外側のみに向けて部分拡張が行われてもよく、あるいは、外側と内側との双方に向けて部分拡張が行われてもよい。
【００８５】
また、第２の検出領域Ｒ２は、タッチパネル４５にて表示（可視化）された状態で設けられてもよく（図２１（後述）の中段参照）、非表示状態（非可視化状態）で設けられてもよい。
【００８６】
また、部分的拡張領域Ｒ２（図１６）に関する一部の範囲Ｂ１の位置および／または大きさ（長さ）は、ユーザの設定変更操作に応じて変更されるようにしてもよい（図１７参照）。具体的には、別途表示される設定画面（不図示）において、一部の範囲Ｂ１の位置および／または大きさが設定されるようにしてもよい。当該位置および／または大きさは、全体に対する割合等によって指定されればよい。あるいは、第２の検出領域Ｒ２が可視化されている場合（図１６参照）等において、特定の操作に応じて、一部の範囲Ｂ１（すなわち、第２の検出領域Ｒ２）の位置および／または大きさが変更されるようにしてもよい。たとえば、ユーザが操作パネル部４０に設けられた特定のキーを左手の指で押下しつつ右手の指を用いて第２の検出領域Ｒ２に対する移動操作および領域拡張操作を行うことによって、一部の範囲Ｂ１の位置および／または大きさが変更されるようにしてもよい。あるいは、ユーザが第２の検出領域Ｒ２に対するロングタップ操作を行って第２の検出領域Ｒ２の変更モードに遷移させた後に、第２の検出領域Ｒ２に対する移動操作および領域拡張操作を行うことによって、一部の範囲Ｂ１の位置および／または大きさが変更されてもよい。
【００８７】
＜１−４．第２の検出領域Ｒ２の設定タイミング＞
上記においては、単一の操作画面（操作画面領域）３１１の全体表示状態から２つの操作画面領域２１２，３１２の分割表示状態に遷移する場合（図１０および図１８等参照）に、第２の検出領域Ｒ２等が設定される態様が例示されているが、これに限定されない。
【００８８】
たとえば、図１９に示されるように、２つの操作画面領域２１２，３１２の分割表示状態（図１９の上段）から一方の操作画面領域３１２の縮小表示状態（図１９の下段）に遷移する場合に、第２の検出領域Ｒ２等が設定されてもよい。図１９のように４つの辺（エッジ）のいずれもがタッチパネル４５の物理的エッジと一致していないときには、４つの辺（エッジ）のいずれに対しても第２の検出領域Ｒ２等が設定されればよい。
【００８９】
あるいは、図２０に示されるように、一方の操作画面領域３１２の縮小表示状態（図２０の上段）から、当該一方の操作画面領域３１２の別の縮小表示状態（図２０の下段）に遷移する場合に、第２の検出領域Ｒ２等が設定されてもよい。ただし、図２０の下段においては、４つの辺（エッジ）のうち、右辺以外の３辺はタッチパネル４５の物理的エッジと一致しておらず、右辺のみがタッチパネル４５の物理的エッジと一致している。そのため、当該右辺に対しては第１の検出領域Ｒ１が設定され、他の３辺に対しては第２の検出領域Ｒ２が設定されればよい。
【００９０】
なお、図１９および図２０においては、図１８と同様、図１４の態様の第２の検出領域Ｒ２が示されている。
【００９１】
また、上述したように、第２の検出領域Ｒ２は、タッチパネル４５にて表示（可視化）された状態で設けられてもよく、非表示状態（非可視化状態）で設けられてもよい。
【００９２】
第２の検出領域Ｒ２が可視化される場合、第２の検出領域Ｒ２が常に表示されていてもよいが、これに限定されない。たとえば、タッチパネル４５における操作画面領域（３１２等）の位置および／または大きさの変更に伴って、操作画面領域の複数のエッジのうち操作パネルの物理的エッジと一致していない特定のエッジの発生が検知されることに応答して、第２の検出領域Ｒ２がタッチパネル４５にて可視化されてもよい。より詳細には、たとえば、第１の検出領域Ｒ１から第２の検出領域Ｒ２への変更（第１の検出領域Ｒ１の拡張および／または移動）が発生した時点から所定期間においてのみ第２の検出領域Ｒ２が可視化されてもよい（図２１参照）。図２１においては、単一の操作画面領域３１１の全体表示状態（図２１の最上段）から２つの操作画面領域２１２，３１２の分割表示状態に遷移した直後（図２１の中段）にて、第２の検出領域Ｒ２が可視化される。そして、当該可視化状態が所定期間（たとえば５秒）経過した後に、第２の検出領域Ｒ２が非可視化される（図２１の最下段）。このように、第２の検出領域Ｒ２が所定期間においてのみ可視化されてもよい。なお、当該可視化状態においては、第２の検出領域Ｒ２に所定の色（たとえば、赤色等）および／またはハッチングが付されることなどによって、第２の検出領域Ｒ２が他の領域と区別されることが好ましい（図２１の中段参照）。また、第２の検出領域Ｒ２にて検出され得るスワイプイン操作の向きを示す矢印（図２１の中段の黒色矢印参照）が、当該第２の検出領域Ｒ２内に表示されてもよい。
【００９３】
なお、第２の検出領域Ｒ２を可視化する処理（可視化処理）は、たとえば、後述するステップＳ４４（図８）の直後に実行されればよい。
【００９４】
＜１−５．詳細動作（スワイプイン操作検出領域の設定処理（Ｓ３）まで）＞
以下では、図７〜図９等を参照しながら、ＭＦＰ１０の動作について詳細に説明する。図７〜図９は、ＭＦＰ１０の動作の一例を示すフローチャートである。なお、図８および図９は、図７の一部の動作を示すフローチャートである。
【００９５】
図７に示されるように、操作画面領域に関する変更指令（たとえば、単一の操作画面領域３１１の全体表示状態から２つの操作画面領域２１２，３１２の分割表示状態への遷移指令）が付与された場合、ステップＳ２に進む。それ以外の場合には、ステップＳ６に進む。なお、当該変更指令は、操作者の操作に基づいて（あるいは所定条件の成立等に伴って自動的に）付与される。
【００９６】
ステップＳ２においては、当該更指令に基づきタッチパネル４５の表示内容が更新される。たとえば、単一の操作画面領域３１１の全体表示状態から２つの操作画面領域２１２，３１２の分割表示状態への遷移指令が付与された場合、タッチパネル４５の左半領域４６０に操作画面領域２１２が表示され、タッチパネル４５の右半領域４７０に操作画面領域３１２が表示される（図１０の下段、および図１８の下段参照）。換言すれば、各操作画面領域２１２，３１２は、それぞれ、タッチパネル４５の一部に表示される。
【００９７】
次のステップＳ３（図８も参照）では、スワイプイン操作検出領域の設定処理が実行される。ステップＳ３では、各操作画面領域の各エッジに対して、第１の検出領域Ｒ１と第２の検出領域Ｒ２とのいずれかがスワイプイン操作検出領域として設定される。
【００９８】
具体的には、或る操作画面領域が処理対象として決定された後、ステップＳ３１〜ステップＳ４２の処理が実行される。
【００９９】
まず、処理対象の操作画面領域の４辺のうちの左辺に対するスワイプイン操作検出領域が、第１の検出領域Ｒ１と第２の検出領域Ｒ２とのいずれかに設定される（ステップＳ３１〜Ｓ３３）。当該左辺のＸ座標がゼロである場合（すなわち当該操作画面領域の左辺（エッジ）がタッチパネル４５の左辺の物理的エッジに一致している場合）、ステップＳ３１からステップＳ３２に進み、第１の検出領域Ｒ１がスワイプイン操作検出領域として設定される。一方、当該左辺のＸ座標がゼロでない場合（すなわち当該操作画面領域の左辺（エッジ）がタッチパネル４５の左辺の物理的エッジに一致していない場合）、ステップＳ３１からステップＳ３３に進み、第２の検出領域Ｒ２がスワイプイン操作検出領域として設定される。
【０１００】
同様に、処理対象の操作画面領域の４辺のうちの右辺に対するスワイプイン操作検出領域が、第１の検出領域Ｒ１と第２の検出領域Ｒ２とのいずれかに設定される（ステップＳ３４〜Ｓ３６）。当該右辺のＸ座標が値Ｘｍａｘ（タッチパネル４５内のＸ座標の最大値）である場合（すなわち当該操作画面領域の右辺（エッジ）がタッチパネル４５の右辺の物理的エッジに一致している場合）、ステップＳ３４からステップＳ３５に進み、第１の検出領域Ｒ１がスワイプイン操作検出領域として設定される。一方、当該右辺のＸ座標が値Ｘｍａｘでない場合（すなわち当該操作画面領域の右辺（エッジ）がタッチパネル４５の右辺の物理的エッジに一致していない場合）、ステップＳ３４からステップＳ３６に進み、第２の検出領域Ｒ２がスワイプイン操作検出領域として設定される。
【０１０１】
同様に、処理対象の操作画面領域の４辺のうちの上辺に対するスワイプイン操作検出領域が、第１の検出領域Ｒ１と第２の検出領域Ｒ２とのいずれかに設定される（ステップＳ３７〜Ｓ３９）。当該上辺のＹ座標がゼロである場合（すなわち当該操作画面領域の上辺（エッジ）がタッチパネル４５の上辺の物理的エッジに一致している場合）、ステップＳ３７からステップＳ３８に進み、第１の検出領域Ｒ１がスワイプイン操作検出領域として設定される。一方、当該上辺のＹ座標がゼロでない場合（すなわち当該操作画面領域の上辺（エッジ）がタッチパネル４５の上辺の物理的エッジに一致していない場合）、ステップＳ３７からステップＳ３９に進み、第２の検出領域Ｒ２がスワイプイン操作検出領域として設定される。
【０１０２】
同様に、処理対象の操作画面領域の４辺のうちの下辺に対するスワイプイン操作検出領域が、第１の検出領域Ｒ１と第２の検出領域Ｒ２とのいずれかに設定される（ステップＳ４０〜Ｓ４２）。当該下辺のＹ座標が値Ｙｍａｘ（タッチパネル４５内のＹ座標の最大値）である場合（すなわち当該操作画面領域の下辺（エッジ）がタッチパネル４５の下辺の物理的エッジに一致している場合）、ステップＳ４０からステップＳ４１に進み、第１の検出領域Ｒ１がスワイプイン操作検出領域として設定される。一方、当該下辺のＹ座標が値Ｙｍａｘでない場合（すなわち当該操作画面領域の下辺（エッジ）がタッチパネル４５の下辺の物理的エッジに一致していない場合）、ステップＳ４０からステップＳ４２に進み、第２の検出領域Ｒ２がスワイプイン操作検出領域として設定される。
【０１０３】
また、操作画面領域の４つのエッジ（４辺）のそれぞれに関する各スワイプイン操作検出領域には、検出すべきスワイプイン操作の向き（操作画面領域の内側へ向かう向き）が設定される。具体的には、左辺に関するスワイプイン操作検出領域には、右向きのスワイプイン操作を検出すべき旨が設定され、右辺に関するスワイプイン操作検出領域には、左向きのスワイプイン操作を検出すべき旨が設定される。また、上辺に関するスワイプイン操作検出領域には、下向きのスワイプイン操作を検出すべき旨が設定され、下辺に関するスワイプイン操作検出領域には、上向きのスワイプイン操作を検出すべき旨が設定される。
【０１０４】
より詳細には、各スワイプイン操作検出領域には、検出用ベクトルＶｄ（図２８および図２９も参照）が設定される。検出用ベクトルＶｄは、当該スワイプイン操作検出領域にて検出すべきスワイプイン操作の向きを示すベクトルである。たとえば、操作画面領域の左辺に対応するスワイプイン操作検出領域（第２の検出領域Ｒ２等）には、右向きのベクトルが検出用ベクトルＶｄとして設定されることによって、右向きのスワイプイン操作を検出すべき旨が設定される。また、操作画面領域の右辺に対応するスワイプイン操作検出領域（第２の検出領域Ｒ２等）には、左向きのベクトルが検出用ベクトルＶｄとして設定されることによって、左向きのスワイプイン操作を検出すべき旨が設定される。他の各辺についても同様である。
【０１０５】
なお、ここでは、各操作画面領域の全ての辺（エッジ（境界））においてスワイプイン操作が受け付けられる態様が例示されているが、これに限定されない。具体的には、各操作画面領域の４辺のうち一部（１辺〜３辺）のみについてスワイプイン操作が受け付けられるようにしてもよい。そして、当該一部の辺（エッジ）のうち、タッチパネル４５の物理的エッジと一致していない辺についてのみ第２の検出領域Ｒ２が設定されるようにしてもよい。
【０１０６】
次のステップＳ４３では、未処理の操作画面領域が残存しているか否かが判定される。未処理の操作画面領域が残存している場合には、処理対象の操作画面領域が更新された上で、ステップＳ３１〜ステップＳ４２の処理が実行される。未処理の操作画面領域が残存していない場合、ステップＳ４４に進む。
【０１０７】
ステップＳ４４では、複数の操作画面領域のそれぞれのスワイプイン操作検出領域の調整処理が実行される。なお、図９は、当該調整処理の一例を示すフローチャートである。
【０１０８】
まず、当該調整処理の概要について図２２および図２３を参照しながら説明する。図２２および図２３は、互いに異なる複数の操作画面領域３１２，４１２が重複して表示される様子を示す図である。なお、図２３は、操作画面領域４１２向けの第２の検出領域Ｒ２をも示している点で、図２２と相違する。また、図２２および図２３では、図１４の態様の第２の検出領域Ｒ２が示されている。
【０１０９】
図２２および図２３においては、操作画面領域４１２は、操作画面領域３１２の一部（のみ）に重複して（重畳して）配置されており、操作画面領域３１２よりも上位の表示階層を有している。換言すれば、操作画面領域４１２は、操作画面領域３１２（の一部）の上層側（手前側）に（重畳して）表示されている。
【０１１０】
これらの各操作画面領域３１２，４１２に対する各スワイプイン操作は、それぞれのスワイプイン操作検出領域（第２の検出領域Ｒ２等）に基づいて検出される。たとえば、操作画面領域３１２向けの第２の検出領域Ｒ２に基づいて、操作画面領域３１２に関するスワイプイン操作が検出される。また、操作画面領域４１２向けの第２の検出領域Ｒ２に基づいて、操作画面領域４１２に関するスワイプイン操作が検出される（図２３も参照）。
【０１１１】
図２２に示すようにタッチパネル４５内にて複数の操作画面領域３１２，４１２が一部重複して表示される場合には、当該複数の操作画面領域３１２，４１２のうち、その表示上の階層（表示階層）が比較的上位の操作画面領域（手前側に表示されている操作画面領域）に対するスワイプイン操作が検出されることが好ましい。
【０１１２】
そのため、操作画面領域３１２向けの第２の検出領域Ｒ２は、操作画面領域４１２に重複する部分を除いた領域として形成されることが好ましい。換言すれば、操作画面領域４１２との重複部分を除外する除外処理が行われた上で、操作画面領域３１２向けの第２の検出領域Ｒ２が形成されることが好ましい。
【０１１３】
これによれば、図２２の位置Ｐ４１（次述）から操作画面領域４１２に対する操作が開始される場合、当該操作が操作画面領域３１２に対するスワイプイン操作として（誤って）認識されることが回避される。上記除外処理によって位置Ｐ４１は操作画面領域３１２向けの第２の検出領域Ｒ２内の位置ではなくなるからである。ここで、位置Ｐ４１は、操作画面領域３１２向けの第２の検出領域Ｒ２のうち操作画面領域４１２に重複している領域（クロスハッチングが付された領域）内の位置である。
【０１１４】
また、位置Ｐ４１が操作画面領域４１２向けの第２の検出領域Ｒ２（スワイプイン操作検出領域）内の位置（図２３参照）であることに基づいて、位置Ｐ４１からのスワイプイン操作は、操作画面領域４１２（操作画面領域３１２よりも上位の表示階層を有する操作画面領域４１２）に対する操作として認識される。ただし、これに限定されず、操作画面領域４１２向けの第２の検出領域Ｒ２は設定されていなくてもよい。
【０１１５】
また、位置Ｐ５１は、操作画面領域３１２向けの第２の検出領域Ｒ２内の位置であることに基づいて、位置Ｐ５１からのスワイプイン操作（位置Ｐ５１から開始されるスワイプイン操作）は操作画面領域３１２に対するスワイプイン操作として認識される。ここで、位置Ｐ５１は、操作画面領域４１２向けの第２の検出領域Ｒ２（図２３参照）には属さず且つ上記除外処理後の操作画面領域３１２向けの第２の検出領域Ｒ２に属する領域（斜めハッチングが付された領域）内の位置である。
【０１１６】
また、上記除外処理（第１の除外処理とも称する）のみが施された後の操作画面領域３１２向けの第２の検出領域Ｒ２（図２２参照）に基づくスワイプイン操作検出処理によれば、位置Ｐ３１からのスワイプイン操作は、操作画面領域３１２（操作画面領域４１２よりも下位の表示階層を有する操作画面領域３１２）に対する操作として認識される。ここで、位置Ｐ３１は、操作画面領域３１２向けの第２の検出領域Ｒ２のうち操作画面領域４１２に重複していない領域内の位置である。
【０１１７】
ただし、位置Ｐ３１から開始されるスワイプイン操作は、操作画面領域３１２に対するスワイプイン操作ではなく（操作画面領域３１２よりも上位の表示階層を有する）操作画面領域４１２に対するスワイプイン操作であると判定されることが、更に好ましい。
【０１１８】
このような要望に応えるため、図２３に示されるように、操作画面領域３１２向けの第２の検出領域Ｒ２は、操作画面領域４１２に重複する重複部分（図２３にてクロスハッチングが付された部分）と操作画面領域４１２向けの第２の検出領域Ｒ２（スワイプイン操作検出領域）に重複する重複部分（図２３にて砂地ハッチングが付された部分等）との双方を除外した領域であることが好ましい。端的に言えば、操作画面領域３１２向けの第２の検出領域Ｒ２は、操作画面領域４１２向けの第２の検出領域Ｒ２に重複する重複部分（図２３にて砂地ハッチングが付された部分等）をも除外した領域であることが好ましい。換言すれば、操作画面領域３１２向けの第２の検出領域Ｒ２は、上記第１の除外処理に加えて「第２の除外処理」（操作画面領域４１２向けの第２の検出領域Ｒ２との重複部分を除外する処理）もが施された上で形成されることが好ましい。
【０１１９】
これによれば、第２の除外処理を含む当該除外処理の結果、位置Ｐ３１は、操作画面領域３１２向けの第２の検出領域Ｒ２（スワイプイン操作検出領域）内の位置ではなくなるので、当該スワイプイン操作が操作画面領域３１２に対する操作として（誤って）認識されずに済む。また、当該位置Ｐ３１は、操作画面領域４１２向けの第２の検出領域Ｒ２（スワイプイン操作検出領域）内の位置であることに基づいて、当該スワイプイン操作は操作画面領域４１２（操作画面領域３１２よりも上位の表示階層を有する操作画面領域４１２）に対する操作として認識される。
【０１２０】
また特に、両操作画面領域３１２，４１２の同一側エッジ付近でスワイプイン操作が行われる場合（図２３参照）、比較的上位の表示階層を有する操作画面領域がスワイプイン操作の対象領域として決定されることが好ましい。たとえば、操作画面領域３１２の左辺と操作画面領域４１２の左辺とのいずれにも近い位置Ｐ４１でスワイプイン操作が行われる場合には、比較的上位の表示階層を有する操作画面領域４１２がスワイプイン操作の対象領域として決定されることが好ましい。これによれば、スワイプイン操作の対象領域をユーザの直感に従って適切に特定することが可能である。
【０１２１】
詳細には、下位階層の操作画面領域３１２の或る辺（たとえば左辺）に関する第２の検出領域Ｒ２（下位階層側のスワイプイン操作検出領域とも称する）と、上位階層の操作画面領域４１２向けの或る辺（たとえば左辺）に関する第２の検出領域Ｒ２（上位階層側のスワイプイン操作検出領域とも称する）とが重複する場合を想定する（図２３参照）。この場合、当該２つのスワイプイン操作検出領域（第２の検出領域Ｒ２）にてそれぞれ検出すべきスワイプイン操作の向き（検出用ベクトルＶｄの向き）が互いに同一であるときには、上記第２の除外処理が行われることが好ましい。具体的には、下位階層側のスワイプイン操作検出領域（第２の検出領域Ｒ２）から、上位階層側のスワイプイン操作検出領域と下位階層側のスワイプイン操作検出領域との重複部分が除外されることが好ましい。
【０１２２】
逆に、複数の操作画面領域３１２，４１２のスワイプイン操作検出領域が互いに重複している場合であっても、当該スワイプイン操作検出領域にて検出されるべきスワイプイン操作の向きが互いに異なるとき（図２４参照）には、上記第２の除外処理を行うことを要しない。上記第２の除外処理を行わなくても、各スワイプイン操作検出領域に設定された検出用ベクトルＶｄ（図２８および図２９参照）の向き（検出すべきスワイプイン操作の向き）で当該スワイプイン操作の対象領域を正確に特定することが可能である。
【０１２３】
たとえば、図２４に示されるように、操作画面領域３１２の右辺に関する第２の検出領域Ｒ２では左向きのスワイプイン操作のみが検出され、操作画面領域４１２の左辺に関する第２の検出領域Ｒ２では右向きのスワイプイン操作のみが検出される。そのため、位置Ｐ３５から右向きのスワイプイン操作が行われる場合、操作画面領域３１２の右辺に関する第２の検出領域Ｒ２は反応せず、操作画面領域４１２の左辺に関する第２の検出領域Ｒ２のみにて当該右向きのスワイプイン操作が検出される。逆に、位置Ｐ３３から左向きのスワイプイン操作が行われる場合、操作画面領域４１２の左辺に関する第２の検出領域Ｒ２は反応せず、操作画面領域３１２の右辺に関する第２の検出領域Ｒ２のみにて当該左向きのスワイプイン操作が検出される。なお、位置Ｐ３３，Ｐ３５は、いずれも、操作画面領域３１２の右辺に関するスワイプイン操作検出領域と操作画面領域４１２の左辺に関するスワイプイン操作検出領域との重複領域内の位置である。
【０１２４】
したがって、互いに重複する２つのスワイプイン操作検出領域（第２の検出領域Ｒ２）にてそれぞれ検出すべきスワイプイン操作の向きが互いに異なるときには、スワイプイン操作検出領域（第２の検出領域Ｒ２等）の調整動作（第２の除外処理）は行われなくてもよい。詳細には、下位階層側のスワイプイン操作検出領域（第２の検出領域Ｒ２）から、上位階層側のスワイプイン操作検出領域と下位階層側のスワイプイン操作検出領域との重複部分が除外されなくてもよい。逆に言えば、そのスワイプイン操作の向き（検出用ベクトルＶｄの向き）が同じことをも条件として、複数の操作画面領域のスワイプイン操作検出領域（第２の検出領域Ｒ２等）が調整されてもよい。
【０１２５】
なお、図１０の下段、図１８の下段、および図１１〜図１７等においては、操作画面領域２１２と操作画面領域３１２とは同一レベルの階層に属している。そのため、これらの操作画面領域に関するスワイプイン操作検出領域に関しては、第１および第２の除外処理は施されない。
【０１２６】
図９は、図２３の動作を示すフローチャートである。たとえば、このような動作がステップＳ４４の動作として実行されればよい。
【０１２７】
まず、着目対象の操作画面領域が特定された後、当該操作画面領域とは別の更に上位階層の操作画面領域が存在するか否かが判定される（ステップＳ５１）。当該上位階層の操作画面領域が存在しない場合には、ステップＳ５７に進む。一方、当該上位階層の操作画面領域が存在する場合には、ステップＳ５２に進む。
【０１２８】
ステップＳ５２では、着目対象の操作画面領域の或る辺に関するスワイプイン操作検出領域（下位階層のスワイプイン操作検出領域）の少なくとも一部が当該上位階層の操作画面領域によって隠されるか否かが判定される。肯定的な判定結果が得られる場合には、ステップＳ５３に進み、否定的な判定結果が得られる場合には、ステップＳ５３をスキップしてステップＳ５４に進む。
【０１２９】
ステップＳ５３では、上位階層の操作画面領域によって隠される部分（下位階層のスワイプイン操作検出領域と上位階層の操作画面領域との重複部分）が、下位階層のスワイプイン操作検出領域から除外され、下位階層のスワイプイン操作検出領域が更新される。すなわち、上記第１の除外処理が実行される。
【０１３０】
なお、ステップＳ５２，Ｓ５３の処理は、下位階層の操作画面領域の４辺の全てのスワイプイン操作検出領域（第２の検出領域Ｒ２）についてそれぞれ実行される。
【０１３１】
このような動作によって、図２２に示されるように、操作画面領域３１２向けの第２の検出領域Ｒ２（スワイプイン操作検出領域）は、操作画面領域４１２との重複部分を除外した領域（当該重複部分を含まない領域）として形成される。
【０１３２】
次のステップＳ５４〜Ｓ５６では、下位階層の操作画面領域（３１２等）向けのスワイプイン操作検出領域（第２の検出領域Ｒ２等）から、上位階層の操作画面領域（４１２等）向けのスワイプイン操作検出領域（第２の検出領域Ｒ２等）との重複部分をも除外する処理等が実行される。すなわち、上記第２の除外処理等が実行される。
【０１３３】
具体的には、まずステップＳ５４において、下位階層の操作画面領域向けのスワイプイン操作検出領域（の少なくとも一部）に対して、上位階層の操作画面領域向けのスワイプイン操作検出領域が重複するか否かが判定される。肯定的な判定結果が得られる場合には、ステップＳ５５に進み、否定的な判定結果が得られる場合には、ステップＳ５５，Ｓ５６をスキップしてステップＳ５７に進む。
【０１３４】
ステップＳ５５では、下位階層のスワイプイン操作検出領域にて検出すべきスワイプイン操作の向き（検出用ベクトルＶｄの向き）と、上位階層のスワイプイン操作検出領域にて検出すべきスワイプイン操作の向きとが同じであるか否かが判定される。肯定的な判定結果が得られる場合には、ステップＳ５６に進み、否定的な判定結果が得られる場合には、ステップＳ５６をスキップしてステップＳ５７に進む。
【０１３５】
ステップＳ５６では、下位階層のスワイプイン操作検出領域から、上位階層のスワイプイン操作検出領域と下位階層のスワイプイン操作検出領域との重複領域が除外され、下位階層のスワイプイン操作検出領域が更新される。
【０１３６】
なお、ステップＳ５４〜Ｓ５６の処理も、下位階層の操作画面領域の４辺の全てのスワイプイン操作検出領域（第２の検出領域Ｒ２）についてそれぞれ実行される。
【０１３７】
ステップＳ５７では、全ての操作画面領域について処理が終了したか否かが判定される。
【０１３８】
未処理の操作画面領域が存在する場合には、ステップＳ５１に戻る。
【０１３９】
一方、全ての操作画面領域について処理が終了した場合には、ステップＳ４４の処理は終了する。その後、ステップＳ６（図７、図２５および図２６参照）に進む。なお、図２５および図２６は、図７のステップＳ６の詳細動作を示すフローチャートである。
【０１４０】
＜１−６．各種操作の検出動作等＞
次に、図２５および図２６等を参照しながら、タッチパネル４５に対する各種操作の検出動作等（ステップＳ６（図７））について詳細に説明する。ここでは、スワイプイン操作、タップ操作、スワイプ操作、ピンチイン操作、ピンチアウト操作等が互いに区別して認識される。また、操作画面領域自体の移動および／または変倍（拡大／縮小）操作が、その他の操作（操作画面領域の各エッジ（各辺）付近でのスワイプイン操作、ならびに操作画面領域内部でのスワイプ操作およびタップ操作等）と区別して認識される。
【０１４１】
図２５および図２６では、タッチパネル４５に対する操作者の操作（タッチ操作）が開始された直後の動作が示されている。タッチパネル４５に対する操作者による操作の開始が検出されると、まずステップＳ６１に進む。
【０１４２】
ステップＳ６１では、操作者による操作が操作画面領域自体の移動および／または変倍（拡大／縮小）のための操作（画面移動変倍操作とも称する）であるか否か、が判定される。具体的には、操作の開始点（操作開始位置）が操作画面領域自体の移動および／または変倍（拡大／縮小）操作のための操作画面領域の境界（詳細は、境界を形成する各辺（矩形形状の輪郭線））上の点であるか否かが、判定される。
【０１４３】
図２７においては、操作画面領域３１２のエッジ（斜めハッチングが付された線状の境界領域）３３０が、操作画面領域３１２自体を変動（移動および／または変倍（拡大／縮小））させる画面移動変倍操作（領域移動変倍操作あるいは領域変動操作とも称する）のための領域として設けられている。なお、図２７では、図１４の態様の第２の検出領域Ｒ２が示されている。
【０１４４】
たとえば、境界領域（エッジ）３３０上の位置から操作が開始される場合には、当該操作は、（スワイプイン操作ではなく）当該操作画面領域３１２の領域移動変倍操作であると判定される。詳細には、境界領域３３０上の位置であって境界領域３３０の四隅（４つの角（かど）位置）を除く位置（Ｐ６１等）から操作が開始される場合には、当該操作は当該操作画面領域３１２の移動操作であると判定される。また、境界領域３３０の四隅の位置（Ｐ６２等）からタッチ操作が開始される場合には、当該操作画面領域３１２の変倍操作（拡大操作あるいは縮小操作）であると判定される。これらの場合には、ステップＳ６２に進む。そして、ステップＳ６２において、操作画面領域３１２の移動操作（あるいは変倍操作）に基づく操作画面領域３１２自体の移動処理（あるいは変倍処理）が実行される。
【０１４５】
一方、操作者の操作が領域移動変倍操作ではないと判定されると、ステップＳ６２には進まず、ステップＳ６１からステップＳ６３に進む。
【０１４６】
後述するステップＳ６３以降においては、操作画面領域自体の領域移動変倍操作（移動および／または変倍（拡大／縮小）操作）以外の操作（スワイプイン操作等）の検出動作（特にステップＳ６５〜Ｓ６８）等が実行される（後述）。換言すれば、ステップＳ６１，Ｓ６２の処理は、ステップＳ６３以降の処理に優先して実行される。
【０１４７】
このように、操作画面領域３１２に関する第２の検出領域Ｒ２（スワイプイン操作検出領域）が操作画面領域３１２のエッジ３３０の少なくとも一部を包含する場合、操作者による操作の開始位置（操作開始位置）が、操作画面領域３１２のエッジ３３０上且つ第２の検出領域Ｒ２内の位置（Ｐ６１，Ｐ６２等）であることがある（図２７参照）。この場合、操作指による操作は、（１）操作画面領域３１２に対するスワイプイン操作である可能性と（２）操作画面領域３１２自体を移動および／または変倍する操作（領域移動変倍操作）である可能性との双方が存在する。この実施形態では、このような状況において、当該領域移動変倍操作がスワイプイン操作よりも優先的に検出される。ただし、これに限定されず、たとえば、領域移動変倍操作は検出されないようにしてもよい。換言すれば、ステップＳ６１，Ｓ６２が行われないようにしてもよい。
【０１４８】
次のステップＳ６３では、操作者による操作の開始位置がスワイプイン操作検出領域（第２の検出領域Ｒ２等）に包含されているか否かが判定される。当該開始位置がスワイプイン操作検出領域（第２の検出領域Ｒ２等）に包含されていない場合には、当該操作は、スワイプイン操作ではないこと（換言すれば、非スワイプイン操作であること）が判定（確定）される（ステップＳ６４）。そして、ステップＳ８１（図２６参照）に進む。
【０１４９】
ステップＳ８１では、当該操作が何れの操作画面領域に対するものであるかが判定される。具体的には、タッチ座標が何れの操作画面領域内に存在するか等に基づいて、当該操作の対象領域が決定される。なお、複数の操作画面領域が重複している場合には、タッチ位置での最上位階層の操作画面領域（最上位の表示階層を有する操作画面領域）が当該操作の対象領域として決定されればよい。
【０１５０】
操作者による操作が第１の操作画面領域（３１２等）に対するものである旨が判定される場合には、第１の操作画面領域に関する表示動作が実行される（ステップＳ８２）。たとえば、第１の操作画面領域に対するタップ操作、スワイプ操作、ピンチイン操作、ピンチアウト操作等のうちの一の操作が行われた旨が判定されるとともに、当該一の操作に対応する表示変更動作が行われる。
【０１５１】
同様に、操作者による操作が第２の操作画面領域（２１２あるいは４１２等）に対するものである旨が判定される場合には、第２の操作画面領域に関する表示動作が実行される（ステップＳ８３）。
【０１５２】
その後、操作者の指がタッチパネル４５から離れた旨（指がリリースされた旨）がステップＳ８４で判定されると、ステップＳ６の処理は終了する。一方、操作者の指が未だタッチパネル４５から離れていない場合には、再びステップＳ８１に戻り、ステップＳ８１〜Ｓ８４の動作が実行される。
【０１５３】
ステップＳ６３にて、操作者による操作の開始位置がスワイプイン操作検出領域（第２の検出領域Ｒ２等）に包含されているか旨が判定される場合には、ステップＳ６５（図２５）に進む。
【０１５４】
ステップＳ６５〜ステップＳ６８においては、スワイプイン操作の検出動作が実行される。
【０１５５】
なお、以下では、各操作画面領域２１２，３１２がタッチパネル４５の対応分割領域４６０，４７０にそれぞれ表示されているとともに、図１１と同様の第２の検出領域Ｒ２が操作画面領域３１２に対して設定されている状況を主に想定する。また、操作画面領域３１２の左辺に関するスワイプイン対応動作が開始される位置（対応動作開始位置）Ｐ２（図６参照）として、操作画面領域２１２と操作画面領域３１２との境界位置（たとえば、Ｘ座標＝４９９）が設定されているものとする。
【０１５６】
ステップＳ６５では、操作者による操作の開始位置に対応するスワイプイン操作検出領域（第２の検出領域Ｒ２等）が特定されるとともに、当該スワイプイン操作検出領域に設定されている検出用ベクトルＶｄが特定される。上述のように、検出用ベクトルＶｄは、当該スワイプイン操作検出領域にて検出すべきスワイプイン操作の向きを示すベクトルである。たとえば、当該開始位置が操作画面領域３１２の左辺に対応する第２の検出領域Ｒ２内の位置である場合、「右向き」のベクトルが検出用ベクトルＶｄとして特定される（図２８等参照）。
【０１５７】
ステップＳ６６，Ｓ６７では、ユーザの操作指の移動ベクトルＶの大きさ及び向きに基づく判定処理が実行される。
【０１５８】
ステップＳ６６では、まず、移動ベクトルＶ（タッチ操作の開始位置（ここでは、スワイプイン操作検出領域（第２の検出領域Ｒ２等）内の位置）を始点とし当該タッチ操作の現在位置を終点とする移動ベクトル）が検出される。そして、移動ベクトルＶの大きさが所定値（たとえば、１０画素相当）以上であるか否かが判定される。
【０１５９】
移動ベクトルＶの大きさが所定値（１０画素相当）未満である場合には、ステップＳ６６からステップＳ７１に進む。タッチ操作が未だ解除されていない場合（指がリリースされていない場合）には、ステップＳ７１からステップＳ７２を経由してステップＳ６６に戻る。一方、タッチ操作が解除される（リリースが行われる）と、ステップＳ７１からステップＳ８１（図２６）を経由してステップＳ８４に進み、図２５および図２６の処理を終了する。
【０１６０】
一方、移動ベクトルＶの大きさが所定値（１０画素相当）以上である場合には、ステップＳ６７に進む。
【０１６１】
ステップＳ６７では、移動ベクトルＶの向きと検出用ベクトルＶｄの向きとの相違が所定程度よりも小さいか否かが判定される。
【０１６２】
具体的には、移動ベクトルＶと検出用ベクトルＶｄとの内積を両ベクトルＶ，Ｖｄの大きさの積で除することによって、両ベクトルＶ，Ｖｄがなす角度θ（図２９参照）が求められる。そして、当該角度θの大きさが一定値ＴＨ１（たとえば３０度）未満であるときに、移動ベクトルＶの向きと検出用ベクトルＶｄの向きとの相違が所定程度よりも小さいと判定される。逆に、当該角度θの大きさが一定値ＴＨ１（たとえば３０度）以上であるときには、移動ベクトルＶの向きと検出用ベクトルＶｄの向きとの相違が所定程度以上である
と判定される。
【０１６３】
あるいは、移動ベクトルＶの大きさが所定値（たとえば１０画素相当）に到達した時点での当該移動ベクトルＶの特定方向成分（詳細には、検出用ベクトルＶｄの向きの成分）Ｄ１が基準値ＴＨ２（たとえば８画素）以上である場合に、移動ベクトルＶの向きと検出用ベクトルＶｄの向きとの相違が所定程度よりも小さい旨が判定されてもよい（図２９参照）。なお、移動ベクトルＶの当該特定方向成分（たとえば、移動ベクトルＶのＸ方向成分）と検出用ベクトルＶｄの当該特定方向成分（たとえば、検出用ベクトルＶｄのＸ方向成分）とは同符号（双方とも正、あるいは双方とも負）であることをも条件とする。
【０１６４】
移動ベクトルＶの向きと検出用ベクトルＶｄの向きとの相違が所定程度以上であると判定される場合、処理はステップＳ６７からステップＳ７３に進む。たとえば、θ≧３０度（ｄｅｇ）、あるいは、Ｄ１＜８（画素）、と判定されると、ステップＳ７３に進む。ステップＳ７３では、当該操作がスワイプイン操作ではない旨が判定され、ステップＳ８１（図２６参照）に進む。ステップＳ８１以降の処理は上述の通りである。なお、ステップＳ８２あるいはステップＳ８３においては、当該操作の詳細内容（たとえば、右上方向へのスワイプ操作である旨等）が確定された上で、当該操作に対応する表示変更動作が行われる。
【０１６５】
一方、移動ベクトルＶの向きと検出用ベクトルＶｄの向きとの相違が所定程度よりも小さいと判定される場合、処理はステップＳ６７からステップＳ６８に進む。たとえば、θ＜３０度（ｄｅｇ）、あるいは、Ｄ１≧８（画素）、と判定されると、ステップＳ６８に進む。
【０１６６】
ステップＳ６８では、スワイプイン操作が行われた旨が判定される。換言すれば、スワイプイン操作が検出された旨が判定される。
【０１６７】
たとえば、図３１に示すように、ユーザの指による操作（タッチ操作）が位置Ｐ７１から開始され、指による押下状態が継続した状態で、右向きに１０画素分移動する（位置Ｐ７２（図３２参照）に到達する）と、スワイプイン操作が検出された旨がステップＳ６８にて判定される。位置Ｐ７１，Ｐ７２は、いずれも操作画面領域３１２向けの第２の検出領域Ｒ２内の位置である。たとえば、位置Ｐ７１の座標（Ｘ座標，Ｙ座標）は、（４５０，４００）であり、位置Ｐ７２の座標は（４６０，４００）である。
【０１６８】
なお、図３１においては、図１１と同様の第２の検出領域Ｒ２が操作画面領域３１２に対して設定されている。また、当該操作画面領域３１２向けの第２の検出領域Ｒ２は、操作画面領域２１２の少なくとも一部に重複している。ただし、操作画面領域２１２と操作画面領域３１２とは互いに重複していない（隣接している）。また、操作画面領域２１２と操作画面領域３１２とは同一レベルの表示階層を有している。図３２〜図３７においても同様である。
【０１６９】
ステップＳ６９では、スワイプイン可能通知動作が実行される。ステップＳ６９の処理については後述する。
【０１７０】
その後、ステップＳ７４に進む。ステップＳ７４では、スワイプイン操作における操作指が操作画面領域２１２と操作画面領域３１２との境界（Ｘ座標＝４９９）を越えたか否か（当該操作指が対応動作開始位置Ｐ２に到達したか否か）、が判定される。
【０１７１】
ユーザの指による操作が境界を越えるまでは、ステップＳ７４から、（ステップＳ７６には進まず）ステップＳ７７（〜Ｓ７９）に進む。具体的には、タッチ操作が解除された（リリースが行われた）旨がステップＳ７７にて判定されると、スワイプイン操作がキャンセルされた旨が判定され、図２５および図２６の処理を終了する。タッチ操作が未だ解除されていない旨が判定される場合には、ステップＳ７７からステップＳ７８に進む。
【０１７２】
ステップＳ７８では、スワイプイン操作とは異なる他の操作（たとえば、マルチタッチ操作、急激な方向変換操作等）が行われているか否かが判定される。当該他の操作（他の種類の操作）が行われている旨が判定される場合（具体的には、スワイプ操作、ピンチイン操作、ピンチアウト操作等が検出される場合）には、ステップＳ８１（図２６）に進む。そして、ステップＳ８１〜Ｓ８４の処理が施される。
【０１７３】
他の操作が行われていない場合には、ステップＳ７８からステップＳ７９を経由してステップＳ７４に戻る。
【０１７４】
このように、ステップＳ６８にてスワイプイン操作が検出された時点から、ステップＳ７４にてスワイプイン操作が境界を越えた旨が判定される時点までの期間ＴＭ２においては、スワイプインに応じた表示変更動作（ステップＳ７６）は開始されない（実行されない）。たとえば、図３３に示すように、ユーザの指による操作（タッチ操作）が位置Ｐ７３（境界よりも左側の位置）に存在する場合、ステップＳ７４，Ｓ７７，Ｓ７８，Ｓ７９０（図２５）の待機ループ処理が実行され、スワイプイン対応動作（ステップＳ７６）は実行されない。図３２においても同様である。
【０１７５】
一方、ユーザの指による操作が境界を越える（図３４〜図３６参照）と、スワイプイン操作に対応する表示変更動作（スワイプイン対応動作）（Ｓ７６）が実行される。詳細には、ユーザの指がタッチ状態を維持しつつ位置Ｐ７５（図３４）から位置Ｐ７６（図３５），Ｐ７７（図３６）へと徐々に移動するにつれて、スワイプインオブジェクト３２０（簡易メニュー画面等）の引出表示動作（スワイプインオブジェクトが画面端部から画面内側へと徐々に引き出されて表示される表示動作）が実行される。位置Ｐ７７にてスワイプインオブジェクト３２０（簡易メニュー画面等）の引出表示動作が完了した後においては、位置Ｐ７７から位置Ｐ７８へと指がさらに移動されても表示状態は変更されない。その後、ユーザは、スワイプインオブジェクト３２０（簡易メニュー画面等）内に表示されている操作ボタン等を用いて、各種の操作（メニュー操作あるいは設定操作等）を行うことが可能である。
【０１７６】
また、上記期間ＴＭ２（ステップＳ６８，Ｓ７４，Ｓ７７，Ｓ７８，Ｓ７９参照）においては、スワイプイン操作の中止（中断）指示（リリースの実行）も受け付けられる。スワイプイン操作の中止指示が（ステップＳ７７にて）受け付けられると、スワイプイン対応動作（ステップＳ７６）は行われない。
【０１７７】
さらに、当該期間ＴＭ２においては、スワイプイン操作以外の操作（マルチタッチ操作、急激な方向変換操作等）も検出され得る（ステップＳ７８，Ｓ８１〜Ｓ８３）。ユーザは、スワイプイン操作から、当該スワイプイン操作以外の当該操作への変更を行うことも可能である。たとえば、図３７に示されるように、ユーザが、指の進行方向（進行する向き）を位置Ｐ７３付近にて右向きから上向きへと急転換させ、指を位置Ｐ７９へと移動させるドラッグ操作を行うことが可能である。この場合、スワイプイン操作はキャンセルされるとともに、ステップＳ７８にて当該ドラッグ操作が検出され、ステップＳ８１〜Ｓ８３にて当該ドラッグ操作に対応する表示変更動作（たとえば、画面内オブジェクト（図ではリンゴ型アイコン）を位置Ｐ７３からＰ７９へと徐々に移動していく様子を示す表示変更動作）が行われる。図３７の例では、当該ドラッグ操作は操作画面領域３１２（第１の操作画面領域）に対する操作ではなく操作画面領域２１２（第２の操作画面領域）に対する操作である旨がステップＳ８１にて判定され、ステップＳ８３において操作画面領域２１２内でのドラッグ操作に対応する表示変更動作が行われる。
【０１７８】
以上のように、操作画面領域３１２がタッチパネル４５の一部に表示される場合、操作画面領域３１２の複数のエッジのうちタッチパネル４５の物理的エッジと一致していない特定のエッジに関して、第２の検出動作（第１の検出領域を拡張および／または移動して形成される第２の検出領域Ｒ２（図６等参照）をスワイプイン操作検出領域として用いるスワイプイン検出動作）が実行される（ステップＳ６８）。したがって、タッチパネル４５に表示される操作画面領域３１２のエッジと操作パネルの物理的エッジとが一致していない場合にも、スワイプイン操作を良好に検出することが可能である。
【０１７９】
また、ステップＳ６において、ユーザの操作指による操作が、操作画面領域３１２に対するスワイプイン操作である可能性と操作画面領域２１２に対する他の操作である可能性との双方が存在する場合、操作画面領域３１２に対するスワイプイン操作が優先的に検出される。
【０１８０】
詳細には、操作画面領域３１２向けの第２の検出領域Ｒ２と操作画面領域２１２との重複領域内の位置Ｐ７１（図３１）から操作指による操作（タッチ操作）が開始され且つ当該タッチ操作が継続している期間（押下状態の継続中）において、スワイプイン操作の検出の有無がステップＳ６７にて確定するまでは、操作画面領域２１２に対する他の操作の検出動作（ステップＳ７３等）よりも操作画面領域３１２向けのスワイプイン操作の検出動作（ステップＳ６６，Ｓ７１，Ｓ７２）が優先的に実行される。すなわち、当該期間においては、操作画面領域３１２に対するスワイプイン操作と操作画面領域２１２に対する別の操作（スワイプ操作等）とのうち、当該スワイプイン操作が優先的に検出される。
【０１８１】
その結果、スワイプイン操作の検出の有無がステップＳ６７にて確定するまでは、操作画面領域２１２に対する他の操作は検出されず、操作画面領域２１２に対する当該他の操作に応じた表示変更動作（Ｓ７３，Ｓ８１，Ｓ８３）は保留される。
【０１８２】
さらに、スワイプイン操作の検出（ステップＳ６８）後において、操作画面領域２１２に対する他の操作等が（ステップＳ７８にて）検出されることなく、操作画面領域３１２に対するスワイプイン操作が対応動作開始位置Ｐ２に到達する（境界を越える）場合（ステップＳ７４でＹＥＳ）、当該スワイプイン操作に応じた表示変更処理動作（ステップＳ７６）が実行される（図３４〜図３６参照）。
【０１８３】
一方、スワイプイン操作の検出時点（ステップＳ６８）から所定の時点（詳細には、スワイプイン操作が対応動作開始位置Ｐ２に到達する時点）までの期間ＴＭ２において、他の操作（操作画面領域２１２に対する所定の操作）がステップＳ７８にて検出されるときには、当該スワイプイン操作はキャンセルされ、当該スワイプイン操作に応じた表示変更動作（ステップＳ７６）は実行されない。そして、ステップＳ７８からステップＳ８１以降に進み、当該所定の操作（たとえば方向変更を伴うドラッグ操作（スワイプ操作）等）に応じた表示変更動作（ステップＳ８３等）が実行される（図３７参照）。
【０１８４】
＜１−７．ステップＳ６９について＞
また、ステップＳ６９においては、スワイプイン操作に応じた表示変更動作（スワイプインオブジェクトの引出表示動作等）が可能である旨をユーザに報知する表示動作（スワイプイン可能通知動作）が実行されるようにしてもよい。
【０１８５】
具体的には、図３０の中段および最下段に示すように、スワイプイン操作に応じて表示されるべきスワイプインオブジェクト３２０（図３６も参照）の一部（スワイプインオブジェクト３２０の右端側の部分矩形領域）を表示することによって、「スワイプイン可能通知」が実行される。「スワイプイン可能通知」は、スワイプイン操作に応じた表示変更動作（図３６に示すようなスワイプインオブジェクト３２０の引出表示動作（スワイプインオブジェクトが画面端部から画面内側へと徐々に引き出されて表示される表示動作）等）が可能である旨の通知である。
【０１８６】
より詳細には、たとえば、スワイプインオブジェクト３２０の右端側の所定幅（数％程度の幅）の部分のみ（縦横ハッチングが付された部分）が操作画面領域３１２の左端側に「スワイプイン可能通知」として表示されればよい。「スワイプイン可能通知」は、スワイプイン操作が位置Ｐ７２で検出された時点（ステップＳ６８）の直後から、当該スワイプイン操作の操作指が対応動作開始位置Ｐ２に到達する時点（当該スワイプイン操作が操作画面領域２１２と操作画面領域３１２との境界を越える時点）（ステップＳ７４でＹＥＳ）まで、表示されればよい。たとえば、指が位置Ｐ７３，Ｐ７４に存在するときに、「スワイプイン可能通知」が表示されればよい。これによれば、さらに右側へ指を移動することによって「スワイプイン操作に応じた表示変更動作」が可能である旨がユーザに報知される。なお、ステップＳ６９の動作は行われなくてもよい。
【０１８７】
＜２．第２実施形態＞
上記第１実施形態では、ユーザによるタッチ操作が操作画面領域３１２向けの第２の検出領域Ｒ２と操作画面領域２１２との重複領域（図３１にてハッチングが付された部分）内から開始される場合（図３１等参照）において、スワイプイン操作の検出の有無がステップＳ６７（図２５）にて確定するまでは、操作画面領域３１２向けのスワイプイン操作の検出動作（ステップＳ６６，Ｓ７１，Ｓ７２）が優先的に実行されている。
【０１８８】
一方、この第２実施形態では、タッチ操作が当該重複領域内から開始される場合において、スワイプイン操作の検出の有無がステップＳ６７にて確定する前から、操作画面領域３１２向けのスワイプイン操作の検出動作と操作画面領域２１２に対する他の操作の検出動作とが並列的に実行される（図３８および図３９参照）。具体的には、ステップＳ６６（図３８）でスワイプイン操作の検出動作が開始された後、ステップＳ８１（図３９）以降に進み、他の操作の検出動作が実行される。また、ステップＳ６８（図３８）にてスワイプイン操作が検出された後には、ステップＳ７８ｂ（，Ｓ８１等）にて他の操作の検出動作が実行される。
【０１８９】
そして、当該他の操作が検出される場合、操作画面領域３１２向けのスワイプイン操作が検出されているとしても、当該他の操作に応じた表示変更動作がステップＳ８３等にて開始（実行）される（図４０および図４１参照）。ただし、その後、操作画面領域３１２向けのスワイプイン操作が対応動作開始位置Ｐ２（位置Ｐ７５（図４２参照））に到達すると、当該他の操作に応じた表示変更動作がキャンセルされ（表示変更前の表示状態に戻され）（ステップＳ７５）、当該スワイプイン操作に応じた表示変更動作（ステップＳ７６）が開始（実行）される（図４３参照）。
【０１９０】
換言すれば、或る操作が２種類の操作（スワイプイン操作および他の操作）のいずれかの操作であると判定される場合、初期段階では、当該他の操作に対応する表示変更動作（表示内容の変更動作）を優先的に実行する。その後、スワイプイン操作が一定程度にまで進行すると、当該他の操作に対応する表示変更動作がキャンセル（リセット）され、スワイプイン操作に対応する表示変更動作（表示内容の変更動作）が実行される。
【０１９１】
以下では、このような態様について図３８および図３９等を主に参照しながら説明する。なお、図３８および図３９は、第２実施形態に係る動作（ステップＳ６）を示すフローチャートである。また、図４０〜図４３は、第２実施形態に係る画面表示の変遷を示す図である。第２実施形態では、図２５および図２６の動作に代えて、図３８および図３９の動作が実行される。
【０１９２】
ステップＳ６１〜Ｓ６４は、第１実施形態と同様である。
【０１９３】
また、ステップＳ６５〜Ｓ６９（スワイプイン操作の検出動作）も、第１実施形態と同様である。
【０１９４】
ただし、ステップＳ６６にてユーザ操作の移動ベクトルＶの大きさが所定値（たとえば１０画素相当）未満であると判定されるときには、図３９の動作が実行される。具体的には、操作画面領域２１２に対する他の操作の検出動作および当該他の操作に応じた表示変更動作（ステップＳ８１，Ｓ８３等）が実行される。換言すれば、スワイプイン操作の検出動作（操作画面領域３１２向けの第２の検出領域Ｒ２を用いた検出動作）に並行して、当該他の操作（操作画面領域２１２に対する特定の操作）の検出動作も実行されるとともに、当該他の操作が検出されるときには当該他の操作に応じた表示変更処理も実行される。
【０１９５】
また、図３９の動作は、第１実施形態とは異なり、必ずしも非スワイプイン操作確定時の動作ではない。また、スワイプイン操作の検出前および検出後のいずれにおいても、図３９の処理が実行され得る。
【０１９６】
図３９のステップＳ８１〜Ｓ８４の後においては、ステップＳ８６，Ｓ８７の判定処理がさらに実行され得る。具体的には、ステップＳ８４にて（指の）リリースが実行された旨が判定されると、ステップＳ６は終了する。一方、ステップＳ８４にて当該リリースが未だ実行されていない旨が判定されると、ステップＳ８６に進む。
【０１９７】
ステップＳ８６（図３９参照）の判定処理では、操作画面領域３１２に対するスワイプイン操作と操作画面領域２１２に対する他の操作との双方の可能性が未だ存在しているか否かが判定される。具体的には、ステップＳ６８でスワイプイン操作が未だ検出されておらず且つステップＳ７３（，Ｓ８２，Ｓ８３）で非スワイプイン操作が未だ確定されていない場合には、当該双方の可能性が未だ存在すると判定され、ステップＳ８６からステップＳ８７に進む。一方、ステップＳ６８でスワイプイン操作が検出されている場合、あるいは、ステップＳ７３（，Ｓ８２，Ｓ８３）で非スワイプイン操作が確定されている場合には、当該確定された操作を実行すべくステップＳ８１に戻り、ステップＳ８２あるいはステップＳ８３の処理が実行される。
【０１９８】
ステップＳ８７（図３９）では、スワイプイン操作が既にステップＳ６８（図３８）にて検出されているか否かが判定される。スワイプイン操作がステップＳ６８にて未だ検出されていない旨がステップＳ８７にて判定されると、ステップＳ８７からステップＳ６６に戻る。一方、スワイプイン操作がステップＳ６８にて既に検出済である旨が判定されると、ステップＳ８７からステップＳ７４に戻る。
【０１９９】
また、ステップＳ７４，Ｓ７７，Ｓ７８（Ｓ７８ｂ），Ｓ７９においても、第１実施形態と同様の動作が行われる。ただし、ステップＳ７８ｂにおいて他の操作の可能性が存在すると判定される場合、ステップＳ７８ｂからステップＳ８１に進み、ステップＳ８１以降の動作（図３９参照）が実行される。この場合において、ステップＳ８２，Ｓ８３で非スワイプイン操作が未だ確定されないときには、（基本的には）ステップＳ８７からステップＳ７４に戻る。
【０２００】
このように、スワイプイン操作の検出（ステップＳ６８）後において、ユーザの指による操作が境界を越えた旨がステップＳ７４にて判定されるまでは、当該他の操作に対応する表示変更動作が（スワイプイン操作に応じた表示変更動作に対して）優先的に実行される（図４０および図４１参照）。換言すれば、操作画面領域２１２に対する特定の操作（ドラッグ操作等の他の操作）が検出されるときには、操作画面領域３１２に対するスワイプイン操作の検出の有無が確定する前でも、当該特定の操作に応じた表示変更動作が実行される。図４０では、操作画面領域３１２に対するスワイプイン操作の検出前において、アイコンのドラッグ操作が検出され且つ当該ドラッグ操作に応じた表示変更が行われている様子が示されている。図４１では、操作画面領域３１２に対するスワイプイン操作の検出後（且つ操作指が対応動作開始位置Ｐ２に到達する前）において、当該ドラッグ操作に応じた表示変更が引き続き行われている様子が示されている。
【０２０１】
その後、ユーザの指による操作が境界を越える（図４２および図４３参照）と、スワイプイン操作に応じた表示変更動作を実行すべき旨が確定され、ステップＳ７４からステップＳ７５，Ｓ７６に進む。ステップＳ７５においては、操作画面領域２１２に対する特定の操作がキャンセルされ、当該特定の操作に応じた表示変更動作もキャンセル（リセット）される。たとえば、ユーザ操作がアイコンのドラッグ操作であると判定され当該ドラッグ操作に応じてアイコンの移動動作が実行されてきた場合（図４０，図４１参照）において、当該ユーザ操作が位置Ｐ７５に到達すると、図４２に示されるように、当該アイコンが元の位置に戻される。そして、ステップＳ７６では、スワイプイン操作に応じた表示変更動作（スワイプイン対応動作）が実行される。たとえば、ユーザ操作が位置Ｐ７５から位置Ｐ７８へ向けて移動すると、これに応じて、スワイプインオブジェクト３２０が徐々に引き出されていく動作が実行される（図４３参照）。
【０２０２】
このように、操作画面領域３１２に対するスワイプイン操作が検出されても、操作指が対応動作開始位置Ｐ２に到達するまでは、スワイプイン操作に応じた表示変更動作は開始されない。一方、操作画面領域２１２に対する特定の操作（ドラッグ操作等）が検出されると、当該特定の操作に応じた表示変更動作が直ちに開始される。そして、操作画面領域３１２に対するスワイプイン操作の検出後且つ操作画面領域２１２に対する特定の操作の検出後において、当該スワイプイン操作の操作指が開始点Ｐ２に到達すると、当該特定の操作に応じた表示変更動作がキャンセル（ステップＳ７５）され（表示変更前の表示状態に戻され）、当該スワイプイン操作に応じた動作が実行される（ステップＳ７６）。
【０２０３】
＜３．変形例等＞
以上、この発明の実施の形態について説明したが、この発明は上記説明した内容のものに限定されるものではない。
【０２０４】
たとえば、上記各実施形態においては、操作画面領域３１２向けの第２の検出領域Ｒ２と別の操作画面領域２１２との重複領域が存在する場合において、ユーザによるタッチ操作が当該重複領域から開始されるときには、当該タッチ操作が操作画面領域３１２に対するスワイプイン操作である可能性と操作画面領域２１２に対する他の操作である可能性との双方の可能性を考慮して判定処理等が行われている（図２５〜図２６、ならびに図３８〜図３９参照）。
【０２０５】
しかしながら、本発明は、これに限定されない。具体的には、タッチ操作がスワイプイン操作である可能性と他の操作である可能性との双方が存在する場合、常に、スワイプイン操作の検出動作のみが行われるようにしてもよい。
【０２０６】
より具体的には、図４４に示されるように、操作画面領域３１２向けの第２の検出領域Ｒ２は、当該第２の検出領域Ｒ２と操作画面領域２１２とが重複する場合、操作画面領域２１２に対する操作（タッチ操作）を受け付けない領域として形成されるようにしてもよい。そして、当該第２の検出領域Ｒ２にてタッチ操作が検出されたときには、（他の操作の検出動作は行われず、）操作画面領域３１２に対するスワイプイン操作の検出動作のみが行われるようにしてもよい。これによれば、操作画面領域３１２向けの第２の検出領域Ｒ２と別の操作画面領域２１２との重複領域からユーザ操作が開始される場合等において、当該ユーザ操作が画面領域３１２向けの第２の検出領域Ｒ２に対するスワイプイン操作であるか否かのみが判定される。操作画面領域２１２に対する他の操作の検出動作を行うことを要しないので、動作を単純化することが可能である。
【０２０７】
特に、操作画面領域２１２と操作画面領域３１２とが重複していない場合（図４４参照）においても、操作画面領域３１２向けの第２の検出領域Ｒ２は、別の操作画面領域２１２に対する操作（タッチ操作）を受け付けない領域として形成されることが好ましい。
【０２０８】
また、上記各実施形態においては、ＭＦＰ１０のコントローラ９内のＣＰＵ（操作パネル部４０を備えるシステム（ＭＦＰ１０）に内蔵されたＣＰＵ）にて各種の動作が実行される態様が例示されているが、これに限定されず、操作パネル部４０内にＣＰＵを別途設け、操作パネル部４０内の当該ＣＰＵによって上記各種の動作が実行されてもよい。
【０２０９】
あるいは、画像形成デバイス（画像形成機構（印刷出力部３）等を備えるデバイス）のみならずサーバコンピュータ（サーバデバイスとも称する）をも内蔵したＭＦＰ（サーバ内蔵型ＭＦＰあるいはサーバ一体型ＭＦＰとも称される）において、上記各実施形態と同様の動作が実行されてもよい。たとえば、当該サーバ内蔵型ＭＦＰ内の２つのデバイス（画像形成デバイスおよびサーバデバイス）が操作パネルを共用し、当該操作パネルの全表示領域が分割（２分割）され、画像形成デバイス向けの表示画面とサーバデバイス向けの表示画面とがそれぞれ一方の分割領域と他方の分割領域とに個別に表示される際に、上記各実施形態と同様の動作が実行されてもよい。この場合、共用される操作パネル部内に設けられたＣＰＵによって上記各種の動作が実行されればよい。あるいは、複数のデバイス（画像形成デバイスおよびサーバデバイス）の各ＣＰＵが、それぞれ、上記各種の動作を実現するようにしてもよい。あるいは、複数のデバイスにそれぞれ設けられた複数のＣＰＵ（画像形成デバイスのＣＰＵ、およびサーバデバイスのＣＰＵ）が協働して、上記各種の動作を実現するようにしてもよい。
【０２１０】
また、表示装置は、ＭＦＰに限定されず、その他の各種の表示装置（たとえば、タブレット端末等であってもよい）
【符号の説明】
【０２１１】
１０  ＭＦＰ（表示装置）
４０  操作パネル部
４５  操作パネル（タッチパネル）
４７  フレーム（ベゼル）
２１０，２１２，３１０，３１１，３１２，４１２  操作画面領域
３２０  スワイプインオブジェクト
３３０  境界領域（エッジ）
４００  全体領域
４６０  左半領域
４７０  右半領域
Ｐ１  検出開始点
Ｐ２  対応動作開始位置
Ｒ１  第１の検出領域
Ｒ２  第２の検出領域
Ｖ  移動ベクトル
Ｖｄ  検出用ベクトル
【図１】
2019144763.tif 000003
【図２】
2019144763.tif 000004
【図３】
2019144763.tif 000005
【図４】
2019144763.tif 000006
【図５】
2019144763.tif 000007
【図６】
2019144763.tif 000008
【図７】
2019144763.tif 000009
【図８】
2019144763.tif 000010
【図９】
2019144763.tif 000011
【図１０】
2019144763.tif 000012
【図１１】
2019144763.tif 000013
【図１２】
2019144763.tif 000014
【図１３】
2019144763.tif 000015
【図１４】
2019144763.tif 000016
【図１５】
2019144763.tif 000017
【図１６】
2019144763.tif 000018
【図１７】
2019144763.tif 000019
【図１８】
2019144763.tif 000020
【図１９】
2019144763.tif 000021
【図２０】
2019144763.tif 000022
【図２１】
2019144763.tif 000023
【図２２】
2019144763.tif 000024
【図２３】
2019144763.tif 000025
【図２４】
2019144763.tif 000026
【図２５】
2019144763.tif 000027
【図２６】
2019144763.tif 000028
【図２７】
2019144763.tif 000029
【図２８】
2019144763.tif 000030
【図２９】
2019144763.tif 000031
【図３０】
2019144763.tif 000032
【図３１】
2019144763.tif 000033
【図３２】
2019144763.tif 000034
【図３３】
2019144763.tif 000035
【図３４】
2019144763.tif 000036
【図３５】
2019144763.tif 000037
【図３６】
2019144763.tif 000038
【図３７】
2019144763.tif 000039
【図３８】
2019144763.tif 000040
【図３９】
2019144763.tif 000041
【図４０】
2019144763.tif 000042
【図４１】
2019144763.tif 000043
【図４２】
2019144763.tif 000044
【図４３】
2019144763.tif 000045
【図４４】
2019144763.tif 000046
【図４５】
2019144763.tif 000047
【図４６】
2019144763.tif 000048